(57)【要約】【課題】フルカラーまたはそれに準じる表示が可能であって高コントラストの画像表示が可能な電気泳動表示装置およびその駆動方法、電子機器を提供する。【解決手段】本発明の電気泳動表示装置は、１画素が第１および第２サブ画素を有し、第１サブ画素に対応し、第１波長領域で透過性を有するとともにそれ以外の領域で吸収性を有する赤色の正帯電粒子と、第２波長領域で反射性を有するとともにそれ以外の領域で吸収性を有する青色の負帯電粒子と、赤粒子および青粒子を保持する透明な分散媒とからなる電気泳動層と、第２サブ画素に対応し、緑色の正帯電粒子と、黒色の負帯電粒子と、緑粒子および黒粒子を保持する分散媒とからなる電気泳動層と、第１および第２サブ画素内にそれぞれ配置され互いに独立に駆動される第１，第２画素電極と、対向電極と、を備え、第１波長領域と第２波長領域とは異なる波長領域であって、第１〜第４の各色は互いに異なっている。【選択図】図２
2012181450.tif 000002
【特許請求の範囲】
【請求項１】
複数の画素からなる画像表示部を有し、互いに対向配置された第１基板および第２基板との間に電気泳動層が挟持されてなる電気泳動表示装置であって、
１つの前記画素が第１サブ画素および第２サブ画素を有し、
前記第１サブ画素に対応し、可視光領域内の第１波長領域で透過性を有するとともにそれ以外の領域で吸収性を有する第１色に着色され正負のいずれか一方に帯電した第１帯電粒子と、前記可視光領域内の第２波長領域で反射性を有するとともにそれ以外の領域で吸収性を有する第２色に着色され正負のいずれか他方に帯電した第２帯電粒子と、前記第１帯電粒子および前記第２帯電粒子を保持する第１分散媒とからなる第１の前記電気泳動層と、
前記第２サブ画素に対応し、第３色に着色され正負のいずれか一方に帯電した第３帯電粒子と、第４色に着色され正負のいずれか他方に帯電した第４帯電粒子と、これら第３帯電粒子および第４帯電粒子を保持する第２分散媒とからなる第２の前記電気泳動層と、
前記第１基板上に設けられるとともに前記第１および第２サブ画素内に配置され互いに独立に駆動される第１画素電極および第２画素電極と、
前記第２基板上に設けられる対向電極と、を備えている
ことを特徴とする電気泳動表示装置。
【請求項２】
複数の画素からなる画像表示部を有し、互いに対向配置された第１基板および第２基板との間に電気泳動層が挟持されてなる電気泳動表示装置であって、
１つの前記画素が第１サブ画素および第２サブ画素を有し、
前記第１サブ画素に対応し、可視光領域内の第１波長領域で透過性を有するとともにそれ以外の領域で吸収性を有する第１色に着色され正負のいずれか一方に帯電した第１帯電粒子と、前記可視光領域内の第２波長領域で反射性を有するとともにそれ以外の領域で吸収性を有する第２色に着色され正負のいずれか他方に帯電した第１帯電粒子と、前記第１帯電粒子および前記第１帯電粒子を保持する透明な第１分散媒とからなる第１の前記電気泳動層と、
前記第２サブ画素に対応し、正負のいずれかに帯電し第３色に着色された第３帯電粒子と、前記第３帯電粒子を保持する第４色に着色された第２分散媒とからなる第２の前記電気泳動層と、
前記第１基板上に設けられるとともに前記第１および第２サブ画素内にそれぞれ配置され互いに独立に駆動される第１画素電極および第２画素電極と、
前記第２基板上に設けられる対向電極と、を備えている
ことを特徴とする電気泳動表示装置。
【請求項３】
前記第３帯電粒子が前記可視光領域において前記第１波長領域と前記第２波長領域以外の波長を含む第３波長領域において透過性または反射性を有し、前記第３帯電粒子が透過性の時は前記第４帯電粒子が第３波長領域以外において反射性を有し、前記第３帯電粒子が反射性の時は前記第４帯電粒子が第３波長領域以外において透過性を有する
ことを特徴とする請求項１に記載の電気泳動表示装置。
【請求項４】
前記第３帯電粒子が前記可視光領域において前記第１波長領域と前記第２波長領域以外の波長を含む第３波長領域において透過性または反射性を有し、前記第４帯電粒子が黒色である
ことを特徴とする請求項１に記載の電気泳動表示装置。
【請求項５】
前記第３帯電粒子が前記可視光領域において前記第１波長領域と前記第２波長領域以外の波長を含む第３波長領域において透過性または反射性を有し、前記第２分散媒の第４色が黒色である
ことを特徴とする請求項２に記載の電気泳動表示装置。
【請求項６】
前記第２分散媒の前記第４色が前記可視光領域において前記第１波長領域と前記第２波長領域以外の第３波長領域を含んで成り、前記第３帯電粒子が黒色である
ことを特徴とする請求項２に記載の電気泳動表示装置。
【請求項７】
前記第１色および前記第２色として、赤、青、緑のうちのいずれか２つの色が選択され、
前記第３色および前記第４色として、赤、青、緑のうち前記第１色および前記第２色とは異なる色と、その補色となる色あるいは黒が選択される
ことを特徴とする請求項１または２に記載の電気泳動表示装置。
【請求項８】
前記第１基板および前記第２基板間に隔壁が設けられており、
前記隔壁が、複数の前記画素が配列されてなる画像表示部のうち、複数の前記第１サブ画素の形成領域と、複数の前記第２サブ画素の形成領域とを区画する構成となっている
ことを特徴とする請求項１から７のいずれか一項に記載の電気泳動表示装置。
【請求項９】
前記第１サブ画素の面積が前記第２サブ画素の面積と同等かそれよりも大きい
ことを特徴とする請求項１から８のいずれか一項に記載の電気泳動表示装置。
【請求項１０】
前記電気泳動層よりも前記第１基板側に反射電極が設けられている
ことを特徴とする請求項１から９のいずれか一項に記載の電気泳動表示装置。
【請求項１１】
前記反射電極に対して電位の入力が可能な構成とされている
ことを特徴とする請求項１０に記載の電気泳動表示装置。
【請求項１２】
前記反射電極の表面に散乱性が付与されている
ことを特徴とする請求項１０または１１に記載の電気泳動表示装置。
【請求項１３】
前記第１画素電極および前記第２画素電極の配置領域に散乱性が付与されている
ことを特徴とする請求項１から１２のいずれか一項に記載の電気泳動表示装置。
【請求項１４】
黒表示の際には、透過性を有する前記第１帯電粒子が、反射性を有する前記第２帯電粒子よりも前記対向電極側に配置される
ことを特徴とする請求項１から１３のいずれか一項に記載の電気泳動表示装置。
【請求項１５】
第１サブ画素内の第１画素電極および対向電極に対して電圧を印加することにより第１帯電粒子を前記対向電極側に移動させる第１の動作と、
前記第１サブ画素内の第２画素電極および前記対向電極に対して電圧を印加することにより第２帯電粒子を前記対向電極側に移動させる第２の動作と、
前記第２サブ画素内の前記第１画素電極および前記対向電極に対して電圧を印加することにより第３帯電粒子を前記対向電極側に移動させる第３の動作と、を有する
ことを特徴とする電気泳動表示装置の駆動方法。
【請求項１６】
前記第２サブ画素内の前記第２画素電極および前記対向電極に対して電圧を印加することにより第４帯電粒子を前記対向電極側に移動させる第４の動作と、を有する
ことを特徴とする請求項１５に記載の電気泳動表示装置の駆動方法。
【請求項１７】
前記第１の動作と前記第２の動作との間で、電圧の印加タイミングあるいは印加電圧の大きさに差を設ける
ことを特徴とする請求項１５または１６に記載の電気泳動表示装置の駆動方法。
【請求項１８】
前記第１画素電極と前記第２画素電極とに互いに異なる電圧を印加する第１プリセット動作と、
前記第１プリセット動作とは反対の極性の電圧を前記第１画素電極および前記第２画素電極に印加する第２プリセット動作と、を有し、
単数あるいは複数画面の書き換えごとに前記第１プリセット動作および前記第２プリセット動作を交互に実施する
ことを特徴とする請求項１５から１７のいずれか一項に記載の電気泳動表示装置の駆動方法。
【請求項１９】
透過性を有する前記第１帯電粒子を、反射性を有する前記第２帯電粒子よりも前記対向電極側に配置させることにより黒表示を得る
ことを特徴とする請求項１５から１８のいずれか一項に記載の電気泳動表示装置の駆動方法。
【請求項２０】
前記第１帯電粒子の方が前記第２帯電粒子よりも数多く設けられ、
前記第１帯電粒子の前記第２基板側における２次元あるいは３次元的な分布を、前記第１画素電極、前記第２画素電極および前記対向電極のそれぞれに印加する電圧の大きさおよび印加時間によって制御する
ことを特徴とする請求項１５から１９のいずれか一項に記載の電気泳動表示装置の駆動方法。
【請求項２１】
請求項１から請求項１４に記載の電気泳動表示装置を備えたことを特徴とする電子機器。
【発明の詳細な説明】
【技術分野】
【０００１】
本発明は、電気泳動表示装置およびその駆動方法、電子機器に関するものである。
【背景技術】
【０００２】
特許文献１，２に開示されているように、着色粒子を用いたカラー表示可能な電気泳動表示装置が提案されている。しかしながら、コントラストが低いという課題が存在し、十分な表示性能を有する電気泳動表示装置は提案されていなかった。
【０００３】
特許文献１には、１つの画素を２つのサブ画素に分離して、それぞれに２色のカラー粒子を保持させて表示を行う装置が開示されている。具体的には、サブ画素ごとに２色の粒子を用いて表示を行う方法が記載されているが、この場合には、白表示、黒表示、赤表示、青表示の４色の表示のみが可能である。さらに、黒表示は、赤粒子および青粒子を分散媒中にランダムに分布させているため、対向基板側から入射した外光が各粒子において吸収されず、青色および赤色の光が外部に漏れることによって、はっきりとした黒表示を行うことができないおそれがある。
【０００４】
また、画素を構成するサブ画素のうち、一方のサブ画素内に赤色および青色の２色の粒子を保持させ、他方のサブ画素内に緑色およびマゼンタの２色の粒子を保持させた場合には、緑色およびマゼンタ色の２色の粒子が保持されたサブ画素において、白黒表示の他、緑表示、マゼンタ（赤青）表示、マゼンタ緑表示が可能である。しかしながら、２つのサブ画素を用いて表示を行ったとしても、これらの組み合わせで表示することができるのは１４色にすぎない。
【０００５】
また、特許文献２では、各隔壁等で１つの画素を複数のサブ画素に分離して、各サブ画素をそれぞれ駆動する方法が記載されている。ここでは、各サブ画素内に保持された着色粒子と分散媒との間の色の関係は、補色の関係にあり、例えば、黄色粒子と青色分散媒とを用いている。フルカラー表示を行うには、２色の色の任意の制御を行う必要がある。しかしながら、特許文献２では、粒子の位置による諧調等の制御は可能であるが、分散媒の色は制御できていないため、４色表示しかできない。
【先行技術文献】
【特許文献】
【０００６】
【特許文献１】特開２００７−３１０１８２号公報
【特許文献２】特開２０１０−７２６１７号公報
【発明の概要】
【発明が解決しようとする課題】
【０００７】
このように、従来の構成においてはフルカラーに近い表示ができず、しかも黒表示が浮いてしまうという問題があった。
【０００８】
本発明は、上記従来技術の問題点に鑑み成されたものであって、フルカラーまたはそれに準じる表示が可能であって高コントラストの画像表示が可能な電気泳動表示装置およびその駆動方法、電子機器を提供することを目的の一つとしている。
【課題を解決するための手段】
【０００９】
本発明の電気泳動表示装置は、複数の画素からなる画像表示部を有し、互いに対向配置された第１基板および第２基板との間に電気泳動層が挟持されてなる電気泳動表示装置であって、１つの前記画素が第１サブ画素および第２サブ画素を有し、前記第１サブ画素に対応し、可視光領域内の第１波長領域で透過性を有するとともにそれ以外の領域で吸収性を有する第１色に着色され正負のいずれか一方に帯電した第１帯電粒子と、前記可視光領域内の第２波長領域で反射性を有するとともにそれ以外の領域で吸収性を有する第２色に着色され正負のいずれか他方に帯電した第２帯電粒子と、前記第１帯電粒子および前記第２帯電粒子を保持する第１分散媒とからなる第１の前記電気泳動層と、前記第２サブ画素に対応し、第３色に着色され正負のいずれか一方に帯電した第３帯電粒子と、第４色に着色され正負のいずれか他方に帯電した第４帯電粒子と、これら第３帯電粒子および第４帯電粒子を保持する第２分散媒とからなる第２の前記電気泳動層と、前記第１基板上に設けられるとともに前記第１および第２サブ画素内に配置され互いに独立に駆動される第１画素電極および第２画素電極と、前記第２基板上に設けられる対向電極と、を備えていることを特徴とする。
【００１０】
本発明の電気泳動表示装置によれば、１画素を構成する２つのサブ画素において互いに異なる表示を行うことができるため、これらの表示の組み合わせによる多様な表現を実現できる。
【００１１】
本発明の電気泳動表示装置は、複数の画素からなる画像表示部を有し、互いに対向配置された第１基板および第２基板との間に電気泳動層が挟持されてなる電気泳動表示装置であって、１つの前記画素が第１サブ画素および第２サブ画素を有し、前記第１サブ画素に対応し、可視光領域内の第１波長領域で透過性を有するとともにそれ以外の領域で吸収性を有する第１色に着色され正負のいずれか一方に帯電した第１帯電粒子と、前記可視光領域内の第２波長領域で反射性を有するとともにそれ以外の領域で吸収性を有する第２色に着色され正負のいずれか他方に帯電した第１帯電粒子と、前記第１帯電粒子および前記第１帯電粒子を保持する透明な第１分散媒とからなる第１の前記電気泳動層と、前記第２サブ画素に対応し、正負のいずれかに帯電し第３色に着色された第３帯電粒子と、前記第３帯電粒子を保持する第４色に着色された第２分散媒とからなる第２の前記電気泳動層と、前記第１基板上に設けられるとともに前記第１および第２サブ画素内にそれぞれ配置され互いに独立に駆動される第１画素電極および第２画素電極と、前記第２基板上に設けられる対向電極と、を備えていることを特徴とする。
【００１２】
本発明の電気泳動表示装置によれば、１画素を構成する２つのサブ画素において互いに異なる表示を行うことができるため、これらの表示の組み合わせによる多様な表現を実現できる。
【００１３】
また、前記第３帯電粒子が前記可視光領域において前記第１波長領域と前記第２波長領域以外の波長を含む第３波長領域において透過性または反射性を有し、前記第３帯電粒子が透過性の時は前記第４帯電粒子が第３波長領域以外において反射性を有し、前記第３帯電粒子が反射性の時は前記第４帯電粒子が第３波長領域以外において透過性を有する構成としてもよい。
【００１４】
これによれば、第２サブ画素において２粒子を用いる際に、それらが透過性と反射性の組み合わせとなる構成にすることで、明るい色表示が可能となる。
【００１５】
また、前記第３帯電粒子が前記可視光領域において前記第１波長領域と前記第２波長領域以外の波長を含む第３波長領域において透過性または反射性を有し、前記第４帯電粒子が黒色であるとしてもよい。
【００１６】
これによれば、第２サブ画素において２粒子を用いる際に、それらが透過性と反射性の組み合わせとなる構成とすることにより、はっきりとした黒表示を行うことができ、コントラストの向上が可能である。
【００１７】
また、前記第３帯電粒子が前記可視光領域において前記第１波長領域と前記第２波長領域以外の波長を含む第３波長領域において透過性または反射性を有し、前記第２分散媒の第４色が黒色であるとしてもよい。
【００１８】
これによれば、第２サブ画素に対応して透過性または反射性を有する第３帯電粒子と、黒色の第２分散媒との組み合わせとすることにより、はっきりとした黒表示を行うことができ、コントラストの向上が可能である。
【００１９】
また、前記第２分散媒の前記第４色が前記可視光領域において前記第１波長領域と前記第２波長領域以外の第３波長領域を含んで成り、前記第３帯電粒子が黒色であるとしてもよい。
これによれば、光漏れが防止されて、はっきりとした黒表示を行うことができ、コントラストの向上が可能である。
【００２０】
また、前記第３帯電粒子が第３波長領域で透過性を有するとともにそれ以外の領域で吸収性を有する前記第３色に着色され、前記第４帯電粒子が第４波長領域で透過性を有するとともにそれ以外の領域で吸収性を有する前記第４色に着色されている構成としてもよい。
これによれば、各粒子の波長に対する光の強度を制御することで各サブ画素における表示の明度調整を行うことができる。
【００２１】
また、前記第１色および前記第２色として、赤、青、緑のうちのいずれか２つの色が選択され、前記第３色および前記第４色として、赤、青、緑のうち前記第１色および前記第２色とは異なる色と、その補色となる色あるいは黒が選択される構成としてもよい。
これによれば、フルカラーあるいはそれに近い表現を実現することができる。
【００２２】
また、前記第１基板および前記第２基板間に隔壁が設けられており、前記隔壁が、複数の前記画素が配列されてなる画像表示部のうち、複数の前記第１サブ画素の形成領域と、複数の前記第２サブ画素の形成領域とを区画する構成となっている構成としてもよい。
【００２３】
これによれば、第１サブ画素および第２サブ画素のそれぞれに対応する空間に互いに異なる電気泳動材料を封入することができ、各サブ画素において互いに異なる表示を行うことができる。また、第１サブ画素および第２サブ画素のそれぞれに対応した互いに異なる電気泳動材料の配置が容易になり、生産性が高く、高精細な表示が可能になる。
【００２４】
また、前記第１サブ画素の面積が前記第２サブ画素の面積と同等かそれよりも大きい構成としてもよい。
これによれば、各サブ画素による画素全体の表現色の明度や彩度を制御することができる。
【００２５】
また、前記電気泳動層よりも前記第１基板側に反射電極が設けられている構成としてもよい。
これによれば、反射膜によって反射された光によってより明るい表示が実現される。
【００２６】
また、前記反射膜に対して電位の入力が可能な構成とされていてもよい。
これによれば、反射膜に対して帯電粒子をはじく電位を入力することによって、帯電粒子が反射膜上に移動してきてしまうのを防止して、対向電極側へとスムーズに移動させることができる。これにより、表示の切り換えを短時間で安定して行えるようになる。
【００２７】
また、前記反射膜の表面に散乱性が付与されている構成としてもよい。
これによれば、光を散乱させることでより表示色の発色性を向上させることができる。また、白表示における外光の正反射を軽減することができる。
【００２８】
また、前記第１画素電極および前記第２画素電極の配置領域に散乱性が付与されている構成としてもよい。
これによれば、光を散乱させることでより表示色の発色性を向上させることができる。
【００２９】
また、黒表示の際には、透過性を有する前記第１帯電粒子が、反射性を有する前記第２帯電粒子よりも前記対向電極側に配置される構成としてもよい。
これによれば、対向基板側から入射した外光のうち、第１色以外の光の一部が第１帯電粒子において吸収され、第１帯電粒子を透過した光のうち第２色の光が第２帯電粒子において反射され、それ以外の光は吸収される。そして、第２帯電粒子において反射された第２色の光は第１帯電粒子において吸収されることとなる。これにより、はっきりとした黒表示が得られる。
【００３０】
本発明の電気泳動表示装置の駆動方法は、第１サブ画素内の第１画素電極および対向電極に対して電圧を印加することにより第１帯電粒子を前記対向電極側に移動させる第１の動作と、前記第１サブ画素内の第２画素電極および前記対向電極に対して電圧を印加することにより第２帯電粒子を前記対向電極側に移動させる第２の動作と、前記第２サブ画素内の前記第１画素電極および前記対向電極に対して電圧を印加することにより第３帯電粒子を前記対向電極側に移動させる第３の動作と、を有することを特徴とする。
【００３１】
本発明の電気泳動表示装置の駆動方法によれば、１画素を構成する２つのサブ画素において互いに異なる表示を行うことができるため、これら表示の組み合わせによる多様な表現を実現できる。
【００３２】
また、前記第２サブ画素内の前記第２画素電極および前記対向電極に対して電圧を印加することにより第４帯電粒子を前記対向電極側に移動させる第４の動作と、を有する駆動方法としてもよい。
これによれば、４種類の帯電粒子の分布状態を制御することによって多様な表現を実現できる。
【００３３】
また、前記第１の動作と前記第２の動作との間で、電圧の印加タイミングあるいは印加電圧の大きさに差を設ける駆動方法としてもよい。
これによれば、各サブ画素内における粒子の分布範囲、分布状態等を制御することができる。
【００３４】
また、第１画素電極と第２画素電極とに互いに異なる電圧を印加する第１プリセット動作と、前記第１プリセット動作とは反対の極性の電圧を前記第１画素電極および前記第２画素電極に印加する第２プリセット動作と、を有し、単数あるいは複数画面の書き換えごとに前記第１プリセット動作および前記第２プリセット動作を交互に実施する駆動方法としてもよい。
これによれば、各画素電極と対向電極との間に直流電圧が印加されることを防止して、電極の腐食や電気泳動材料の劣化を抑制することができる。
【００３５】
また、透過性を有する第１帯電粒子を、反射性を有する第２帯電粒子よりも前記対向電極側に配置させることにより黒表示を得る駆動方法としてもよい。
【００３６】
これによれば、対向基板側から入射した外光のうち、第１色以外の光の一部が第１帯電粒子において吸収され、第１帯電粒子を透過した光のうち第２色の光が第２帯電粒子において反射され、それ以外の光は吸収される。そして、第２帯電粒子において反射された第２色の光は第１帯電粒子において吸収されることとなる。これにより、はっきりとした黒表示を実現できる。
【００３７】
また、前記第１帯電粒子の方が前記第２帯電粒子よりも数多く設けられ、前記第１帯電粒子の前記第２基板側における２次元あるいは３次元的な分布を、前記第１画素電極、前記第２画素電極および前記対向電極のそれぞれに印加する電圧の大きさおよび印加時間によって制御する駆動方法としてもよい。
【００３８】
これによれば、第１波長領域において透過性を有する第１帯電粒子が対向電極上に積層状態で分布することとなり、これら多層に配置された第１帯電粒子により乱反射が生じ、結果として、第１色の光が外部に出射する。これにより、外光が複数の第１帯電粒子を透過することによって指向性のない乱反射となり、かつ、対向電極近傍でこの現象が生じるため、視野角の広い表示となる。
【００３９】
本発明は、上記の電気泳動表示装置を備えた電子機器であることを特徴とする。
これによれば、先に記載の電気泳動表示装置を備えた構成とされているので、明るく視認性の良好なフルカラーあるいはこれに近い表示の行える信頼性に優れた高品位の電子機器が得られる。
【図面の簡単な説明】
【００４０】
【図１】本発明の一実施形態である電気泳動表示装置の概略構成を示す図。
【図２】（ａ）は、画像表示部における画素構成の一部を拡大して示す概略図、（ｂ）は隔壁の構成を示す平面図。
【図３】電気泳動表示装置の具体的な構成例を示す等価回路図。
【図４】素子基板側におけるサブ画素の具体的な構成例を示す平面図。
【図５】図４のＡ−Ａ線に沿う断面図。
【図６】サブ画素の具体的な構成例を示す断面図。
【図７】電気泳動材料を注入する工程を示す図。
【図８】電気泳動表示装置の動作原理について示す図。
【図９】観測側から見たときに視認される着色粒子の面積による階調の違いについて示すサブ画素の概念図。
【図１０】（ａ）は、白表示時における粒子の分布状態を示す図、（ｂ）は、赤表示時における粒子の分布状態を示す図、（ｃ）は、青表示時における粒子の分布状態を示す図、（ｄ）は、黒表示時における粒子の分布状態を示す図。
【図１１】緑表示時における粒子の分布状態を示す図。
【図１２】（ａ）は、暗い緑表示における粒子の分布状態を示す図、（ｂ）は、暗い赤表示における粒子の分布状態を示す図、（ｃ）は、暗い青表示における粒子の分布状態を示す図。
【図１３】（ａ）は、暗いシアン表示における粒子の分布状態を示す図、（ｂ）は、マゼンタ表示における粒子の分布状態を示す図。
【図１４】（ａ）は、明るく淡い緑表示時における粒子の分布状態を示す図、（ｂ）は、明るく淡い赤表示時における粒子の分布状態を示す図、（ｃ）は、明るく淡いマゼンタ表示時における粒子の分布状態を示す図。
【図１５】視感度補正後の波長と光強度の分布概念図。
【図１６】マゼンタ表示を行う際の駆動方法を示すタイミングチャート図（サブ画素４０Ａ）。
【図１７】マゼンタ表示を行う際の駆動方法を示すタイミングチャート図（サブ画素４０Ｂ）。
【図１８】黒表示を連続して行う際の駆動方法を示すタイミングチャート図。
【図１９】（ａ）は、変形例１における黒表示時の帯電粒子の分布状態を示す図、（ｂ）は、変形例２における黒表示時の帯電粒子の分布状態を示す図、（ｃ）は、変形例３における黒表示時の帯電粒子の分布状態を示す図。
【図２０】（ａ）は、暗く赤い表示時における粒子の分布状態を示す図、（ｂ）は、緑表示時における粒子の分布状態を示す図、（ｃ）は、赤表示時における粒子の分布状態を示す図。
【図２１】赤粒子の量を増加した構成において黒表示を行った際の粒子の分布状態を示す図。
【図２２】第２実施形態の電気泳動表示装置の構成を示す部分断面図。
【図２３】第３実施形態の電気泳動表示装置の構成を示す部分断面図。
【図２４】第４実施形態の電気泳動表示装置の画素表示部における画素構成の一部を拡大して示す概略図。
【図２５】（ａ）は、暗い赤表示時における粒子の分布状態を示す図、（ｂ）は、マゼンタ表示時における粒子の分布状態を示す図である。
【図２６】電気泳動表示装置の変形例２を示す部分断面図。
【図２７】第２サブ画素の分散媒の色を黒色にした場合の構成を示す断面図。
【図２８】波長と光強度の分布図。
【図２９】本発明の電気泳動表示装置を適用した電子機器の具体例を説明する斜視図。
【発明を実施するための形態】
【００４１】
以下、本発明の実施形態につき、図面を参照して説明する。なお、以下の説明に用いる各図面では、各部材を認識可能な大きさとするため、各部材の縮尺を適宜変更している。
【００４２】
（第１実施形態の電気泳動表示装置）
図１は、本発明の一実施形態である電気泳動表示装置の概略構成を示す図であり、（ａ）は外形図、（ｂ）は等価回路図である。
図１（ａ），（ｂ）に示すように、本実施形態の電気泳動表示装置１００は、半導体装置からなる素子基板３００と、素子基板３００に対向配置された対向基板３１０と、これらの間に挟持される電気泳動層とにより構成されている。これら素子基板３００と対向基板３１０とが重なる領域には複数の画素４０がマトリクス状に配置された画像表示部５が形成されている。また、画像表示部５の外側の領域、すなわち対向基板３１０よりも外側に張り出した非表示部６には、走査線駆動回路６１、データ線駆動回路６２および共通電位回路７２が実装されており、当該領域に形成された接続端子を介して、画像表示部５内から延出された配線（走査線６６Ａ，６６Ｂ、データ線６８Ａ，６８Ｂ、共通電位線６９）とそれぞれ接続されている。また、対向基板３１０よりも外側に張り出した素子基板３００上には、接続基板２０１を介して、上記各駆動回路を駆動するための外部回路基板２０２が接続されている。
【００４３】
図２（ａ）は、画像表示部における画素構成の一部を拡大して示す概略図であり、（ｂ）は隔壁の構成を示す平面図である。
図２（ａ）に示すように、本実施形態における１つの画素４０は２つのサブ画素（第１サブ画素）４０Ａおよびサブ画素（第２サブ画素）４０Ｂから構成されている。これら２つのサブ画素４０Ａ，４０Ｂは、走査線６６の延在方向に沿って交互に存在するとともに、データ線６８Ａ，６８Ｂの延在方向に同じサブ画素４０Ａ，４０Ｂ同士が連続して存在している。１画素を構成するサブ画素４０Ａ，４０Ｂの間には隔壁６４が存在している。この隔壁６４は、素子基板３００と対向基板３１０との間に配置され、図２（ｂ）に示すように、少なくとも画像表示領域（画像表示部５）を２つの領域に分離するものである。具体的には、画像表示部５に対応する素子基板３００および対向基板３１０間の空間を２つの空間５ａ，５ｂに区画形成している。そして、この隔壁６４の両側に存在するサブ画素４０Ａ，４０Ｂによって、表示を行う１つの画素４０を構成している。隔壁６４によって区画形成された空間５ａ，５ｂ内にそれぞれ存在するサブ画素４０Ａとサブ画素４０Ｂとはそれぞれ異なる画素４０を構成するものである。
【００４４】
隔壁６４の具体的な構成について述べると、隔壁６４の外形を枠状に形成すべく互いに対向配置されたＬ字形状の一対の第１外壁部６４Ａおよび第２外壁部６４Ｂと、これら外壁部６４Ａ，６４Ｂによって囲まれた領域を二等分する波型形状の内壁部６４Ｃとから構成されている。第１外壁部６４Ａと内壁部６４Ｃとの間に上記空間５ａが形成され、第２外壁部６４Ｂと内壁部６４Ｃとの間に上記空間５ｂが形成される。これら空間５ａ，５ｂ内には異なる電気泳動材料が封入されており、電気泳動層３２Ａ，３２Ｂが構成されている。各空間５ａ，５ｂに電気泳動材料を注入するための注入口６４ａ，６４ｂは封止材６５によって封止されている。そして、サブ画素４０Ａには電気泳動層（第１の電気泳動層）３２Ａが対応し、サブ画素４０Ｂには電気泳動層（第２の電気泳動層）３２Ｂが対応している。その結果、１画素を構成するサブ画素４０Ａ，４０Ｂにおいて互いに異なる表示を行うことができるため、これら表示の組み合わせによる多様な表現を実現できる。
【００４５】
ここで、隔壁６４の材料としては、例えばポリイミドが用いられ、封止材６５の材料としては、例えば紫外線硬化樹脂が用いられる。隔壁６４の配置領域は表示に係わらない領域であるため、その色は、非透明で黒色または明度の低い無彩色であることが望ましい。このため、コントラストの低下が生じにくい。
【００４６】
また、１つの画素領域において隔壁６４が占める面積は、サブ画素４０Ａ，４０Ｂごとに枠状に設けられた従来の構成の隔壁が占める面積に比べて小さいことから、明るく高コントラストの表示が可能となっている。また、高精細な画像表示を必要とする表示装置に有効である。
なお、隔壁６４の形状は上記したものに限らない。
【００４７】
図３は、電気泳動表示装置の具体的な構成例を示す等価回路図である。
図３に示すように、本実施形態の電気泳動表示装置１００は、素子基板３００の一面側（第１基板３０上：図５）に、互いに交差する方向に延在する走査線６６と複数のデータ線６８Ａ，６８Ｂとが設けられている。ここで、本実施形態の走査線６６Ａ，６６Ｂは、画像表示部５内において２つに分岐された第１走査線６６Ａおよび第２走査線６６Ｂを有する。
【００４８】
１つの画素４０を構成するサブ画素４０Ａ，４０Ｂは、それぞれ異なる電気泳動材料からなる電気泳動層３２Ａ，３２Ｂをそれぞれ有する。各サブ画素４０Ａ，４０Ｂ内には、さらに、２つの選択トランジスタＴＲ１，ＴＲ２、２つの画素電極（第１画素電極）３５Ａ，画素電極（第２画素電極）３５Ｂ、対向電極３７、接続電極４４Ａ，４４Ｂおよび反射電極（反射膜）１３が備えられている。
【００４９】
選択トランジスタＴＲ１のゲートに第１走査線６６Ａが接続され、ソースにデータ線６８Ａが接続され、ドレインに画素電極３５Ａが接続されている。選択トランジスタＴＲ２のゲートに第２走査線６６Ｂが接続され、ソースにデータ線６８Ｂが接続され、ドレインに画素電極３５Ｂが接続されている。
【００５０】
反射電極１３は、各画素電極３５Ａ，３５Ｂどうしの間に存在し、対向電極３７の電位と略同電位の電圧が印加される。この反射電極１３は少なくともその表面（電気泳動層３２Ａ，３２Ｂ側の面）に反射性を有している。
なお、図３では保持容量を記載していないが、ＴＦＴ素子にスイッチング機能や表示画像駆動機能をもたせるために保持容量を付加した等価回路である事が好ましい。
また、選択トランジスタＴＲ１、ＴＲ２としては、一般的なａ−ＳｉＴＦＴ、ポリＳｉＴＦＴ、有機ＴＦＴ、酸化物ＴＦＴ等が使用可能である。また、構造もトップゲート、ボトムゲート構造共に可能である。
また、第１基板３０上における各層の構成も上記以外とすることも可能である。
【００５１】
図４は、素子基板側におけるサブ画素の具体的な構成例を示す平面図、図５は、図４のＡ−Ａ線に沿う断面図である。また、図６は、サブ画素の具体的な構成例を示す断面図である。
まず、素子基板３００の構成について述べる。
電気泳動表示装置１００は、１画素４ＴＦＴ型の構成をなすものであって、図４に示すように、第１基板３０のサブ画素４０Ａ，４０Ｂに対応する領域に、選択トランジスタＴＲ１，ＴＲ２と、接続電極４４Ａ，４４Ｂと，複数の画素電極３５Ａ，３５Ｂと、反射電極１３と、をそれぞれ備えた素子基板３００を具備する。
【００５２】
画素電極３５Ａ，３５Ｂは、サブ画素４０Ａ，４０Ｂごとにそれぞれ複数ずつ設けられており、本実施形態ではいずれも平面視円形状を呈する。複数の画素電極３５Ａどうしは、それぞれがコンタクトホールＨ１を介して接続される接続電極４４Ａにより相互に接続され、複数の画素電極３５Ｂどうしは、それぞれがコンタクトホールＨ２を介して接続される接続電極４４Ｂにより相互に接続されている。
【００５３】
選択トランジスタＴＲ１のドレイン電極４１ｄは接続電極４４Ａを介して複数の画素電極３５Ａに接続され、選択トランジスタＴＲ２のドレイン電極４１ｄは接続電極４４Ｂを介して複数の画素電極３５Ｂに接続されている。これにより、複数の画素電極３５Ａには選択トランジスタＴＲ１を介してデータ線６８Ａからのデータ電位が印加され、複数の画素電極３５Ｂには選択トランジスタＴＲ２を介してデータ線６８Ｂからのデータ電位が印加されるようになっている。これにより、各サブ画素４０Ａ，４０Ｂ内に配置された複数の画素電極３５Ａと複数の画素電極３５Ｂとが互いに独立に駆動可能な構成とされている。
【００５４】
接続電極４４Ａ，４４Ｂは、平面視櫛歯形状を呈し、２方向（走査線６６Ａ，６６Ｂあるいはデータ線６８Ａ、６８Ｂ）に沿って延在する２辺からなり、全体的にＬ字状を呈する幹部４４１と当該幹部４１１によって連結された複数の枝部４４２とを有して構成されている。
複数の枝部４４２は、幹部４４１の延在方向とは異なる方向（ここでは、枝部４４２の各辺）に対して約６０°の方向に互いに平行して延在しており、すべての枝部４４２の延在長さを異ならせてある。これに限らず、例えば、４５°の方向とすることもできる。また、幹部４４１の角部（屈曲部分）付近から延在する枝部４４２が最も長く、この中央の枝部４４２から遠ざかる枝部４４２ほど短い長さとなっている。
【００５５】
平面視櫛歯形状を呈する接続電極４４Ａ，４４Ｂは、互いに噛み合うようにしてサブ画素４０Ａ，４０Ｂ内に配置されている。一方の接続電極４４Ａの枝部４４２ａの両側に他方の接続電極４４Ｂの枝部４４２ｂ，４４２ｂが存在する状態となっている。
接続電極４４Ａの各枝部４４２ａは複数の画素電極３５Ａに対応し、接続電極４４Ｂの各枝部４４２ｂは複数の画素電極３５Ｂに対応している。
【００５６】
反射電極１３は電位の入力が可能な構成とされており、選択トランジスタＴＲ１，ＴＲ２上を覆うとともに画素電極３５Ａ，３５Ｂよりも下層側で、画素形成領域のほぼ全体にベタ状に形成されている。この反射電極１３は、画素電極３５Ａ，３５Ｂに対応する位置に平面視円形状の複数の開口１３Ａ，１３Ｂを有している。開口１３Ａ，１３Ｂの直径は、画素電極３５Ａ，３５Ｂの直径よりも小さい直径であって、面方向（平面視）で画素電極３５Ａ，３５Ｂと反射電極１３との間に隙間が形成されることのない寸法に設定されている。このため、反射電極１３としてデッドエリアがなく明るい画像表示が得られる。
【００５７】
なお、反射電極１３は、すべての画素４０において共通であるとしたがこれに限られることはなく、サブ画素４０Ａ，４０Ｂごとに独立して設けてもよい。この場合は、画素電極３５Ａ，３５Ｂのうち、複数の画素電極３５Ａが反射電極１３と電気的に接続された構成としておく。対向電極３７上に分布した粒子を画素電極３５Ａ側へと引き寄せる際には、反射電極１３と画素電極３５Ａとに同一電圧を印加する。電気泳動層３２Ａ，３２Ｂと反射電極１３との間には保護膜４３が存在しており、この保護膜４３に印加される電圧分だけ低い電圧が反射電極１３から粒子に印加されるため、粒子が反射電極１３上の保護膜４３の表面に吸着するのを防止することができる。
【００５８】
このため、保護膜４３の膜厚は厚い方がよく、２μｍ以上、より好ましくは１０μｍ以上が好適である。または、セルギャップｄの１０％以上、より好ましくは５０％以上が好適である。このような条件であれば、反射電極１３から粒子に印加される電圧は、常に画素電極３５Ａ，３５Ｂに印加される電圧よりも小さくかつ同極性のものとなる。このため、反射電極１３の電位が粒子の移動を阻害することがなくなる。
ここで、セルギャップｄは電気泳動表示装置１００の画素電極３５Ａ，３５Ｂと対向電極３７との距離（素子基板３００と対向基板３１０との間の距離）であり、図５においては２０μｍである。ただし、２０ｕｍに限る必要は無い。
【００５９】
図４および図５に示すように、第１基板３０は厚さ０．５ｍｍのガラス基板からなり、その表面上に厚さ３００ｎｍのアルミニウム（Ａｌ）からなるゲート電極４１ｅ（走査線６６）が形成されている。そして、このゲート電極４１ｅを覆うようにして第１基板３０の表面全体に酸化シリコン膜からなる厚さ３００ｎｍのゲート絶縁膜４１ｂが形成され、ゲート電極４１ｅの直上に厚さ５０ｎｍのａ−ＩＧＺＯ（Ｉｎ、Ｇａ、Ｚｎの酸化物）からなる半導体層４１ａが形成されている。
【００６０】
このゲート絶縁膜４１ｂ上には、厚さ２００ｎｍのＡｌからなるソース電極４１ｃ（データ線６８Ａ，６８Ｂ）およびドレイン電極４１ｄがゲート電極４１ｅおよび半導体層４１ａと一部重なるようにそれぞれ設けられている。ソース電極４１ｃとドレイン電極４１ｄとは半導体層４１ａに一部乗り上げるようにして形成されている。また、同じく厚さ２００ｎｍのアルミニウム（Ａｌ）からなる接続電極４４Ａ，４４Ｂがゲート絶縁膜４１ｂ上に形成されている。これら接続電極４４Ａ，４４Ｂはソース電極４１ｃおよびドレイン電極４１ｄと同時にパターン形成されるもので、接続電極４４Ａ（接続電極４４Ｂ）は選択トランジスタＴＲ１（選択トランジスタＴＲ２）のドレイン電極４１ｄに接続されている。
【００６１】
ここで、選択トランジスタＴＲ１（選択トランジスタＴＲ２）および接続電極４４Ａ，４４Ｂ上にはこれらを覆うようにして、厚さ３００ｎｍの水素化窒化珪素膜からなる層間絶縁膜４２Ａと、厚さ１μｍの感光性アクリルからなる層間絶縁膜４２Ｂとがこの順で積層されている。層間絶縁膜４２Ｂ上には、厚さ２００ｎｍのＡｌからなる反射電極１３と、この反射電極１３を覆うようにして、厚さ１０μｍの感光性アクリルからなる保護膜４３とが形成されている。複数の画素電極３５Ａ，３５Ｂは保護膜４３の表面に配置される。
【００６２】
反射電極１３は、上述したように画像表示部５におけるすべての画素４０に共通して設けられるもので、画像表示部５の外側で電源と接続されている。ここで、反射電極１３に散乱性を付与してもよい。この場合、反射電極１３上に別途酸化膜を成膜してもよいし、反射電極１３を構成する金属パターンを酸化させて構成してもよい。酸化物としては、例えば、アルミナ、チタニア等が挙げられる。
【００６３】
なお、層間絶縁膜４２Ａ，４２Ｂおよび保護膜４３の材料として、ここではアクリルを用いているがこれ以外の材料を用いることも可能であり、シリコン酸化膜等の無機絶縁膜、有機絶縁膜であってもよい。
【００６４】
保護膜４３上には、サブ画素４０Ａ，４０Ｂごとに、厚さ５０ｎｍのＡｌからなる複数の画素電極３５Ａ，３５Ｂが設けられている。これら複数の画素電極３５Ａ，３５Ｂのうち、画素電極３５Ａどうしは、保護膜４３、層間絶縁膜４２Ａ，４２Ｂおよびゲート絶縁膜４１ｂの厚さ方向を貫通するコンタクトホールＨ１を介してここに接続される接続電極４４Ａによって互いに電気的に接続され、画素電極３５Ｂどうしは、同じく上記各層を貫通して形成されるコンタクトホールＨ２を介して互いに電気的に接続されている。これら接続電極４４Ａ，４４Ｂは、それぞれ選択トランジスタＴＲ１，ＴＲ２のドレイン電極４１ｄを延設してなることから、選択トランジスタＴＲ１，ＴＲ２のスイッチが閉じたときに、各接続電極４４Ａ，４４Ｂを通じて画素電極３５Ａ，３５Ｂにそれぞれデータ線６８Ａ，６８Ｂからの画像信号が供給される。よって、１画素内に配置された画素電極３５Ａおよび画素電極３５Ｂは互いに独立に駆動されるようになっている。このように、第１基板３０から画素電極３５Ａ，３５Ｂまでの要素により、素子基板３００が構成されている。
【００６５】
素子基板３００上には、電気泳動層３２Ａ，３２Ｂを介して対向基板３１０が対向配置されている。対向基板３１０は、厚さ０．５ｎｍのガラス基板からなる第２基板３１と、その電気泳動層３２Ａ，３２Ｂ側の表面上に形成された厚さ１００ｎｍのＩＴＯ（Ａｌ）からなる対向電極３７とにより構成されている。
【００６６】
対向電極３７は、素子基板３００側に設けられた島状の複数の画素電極３５Ａ，３５Ｂの面積の総和よりも広い面積を有し、少なくとも画素４０（サブ画素４０Ａ，４０Ｂ）内の表示に寄与する領域において一繋がりの電極（ベタ電極）となっている。対向電極３７には、必要に応じて電極のない切欠部を設けてもよい。
【００６７】
ここで、対向電極３７、画素電極３５Ａ，３５Ｂに用いる電極の構成材料としては、実質的に導電性を有するものであれば特に限定されないが、例えば、銅、アルミニウムまたはこれらを含む合金等の金属材料、カーボンブラック等の炭素系材料、ポリアセチレン、ポリピロール、またはこれらの誘導体等の電子導電性高分子材料、ポリビニルアルコール、ポリカーボネート、ポリエチレンオキシド等のマトリックス樹脂中に、ＮａＣｌ、ＬｉＣｌＯ４、ＫＣｌ、ＬｉＢｒ、ＬｉＮＯ３、ＬｉＳＣＮ等のイオン性物質を分散させたイオン導電性高分子材料、インジウム錫酸化物（ＩＴＯ）、フッ素ドープした錫酸化物（ＦＴＯ）、錫酸化物（ＳｎＯ２）、インジウム酸化物（ＩＯ）等の導電性酸化物材料のような各種導電性材料が挙げられ、これらのうちの１種または２種以上を組み合わせて用いることができる。
【００６８】
また、画素電極３５Ａ，３５Ｂに用いる電極の材料として、金属、シリサイド、銀などのペースト等を用いて反射性を有するように構成してもよい。また、これら画素電極３５Ａ，３５Ｂは、視認側とは反対側に位置するため必ずしも透明である必要はないが、ＩＴＯのような透明電極を用いることも可能である。
【００６９】
また、第１基板３０および第２基板３１としては、ＰＥＴ基板以外の有機絶縁基板や薄ガラス等の無機ガラス基板、あるいは無機材料および有機材料から複合基板を用いてもよい。
【００７０】
素子基板３００と対向基板３１０との間には、隔壁６４と、隔壁６４によって分離された電気泳動層３２Ａ，３２Ｂとが挟持されており、これら電気泳動層３２Ａ，３２Ｂは、シリコーンオイルからなる透明な分散媒（第１分散媒）２１中に、ＰＥＴからなる２種類の帯電粒子が複数保持されてなる。
【００７１】
具体的には、図６に示すように、サブ画素４０Ａに対応する電気泳動層３２Ａは、青色の負帯電粒子（第２帯電粒子）２６（Ｂ）と赤色の正帯電粒子（第１帯電粒子）２７（Ｒ）とを有し、サブ画素４０Ｂに対応する電気泳動層３２Ｂは、緑色の正帯電粒子（第３帯電粒子）２７（Ｇ）と黒色の負帯電粒子（第４帯電粒子）２６（Ｂｋ）とを有する。このため、１画素内には４種類（４色）の粒子が保持されていることになる。
【００７２】
ここで、サブ画素４０Ａの電気泳動層３２Ａにおける２種類の帯電粒子の色として、赤、青、緑のいずれか２つの色（本実施形態では、赤と青）が選択されるものとし、サブ画素４０Ｂの電気泳動層３２Ｂにおける２種類の帯電粒子の色として、赤、青、緑のうち、サブ画素４０Ａにおける各粒子の色とは異なる色（本実施形態では緑）と、黒色が選択されている。また、黒色以外にも、他方の帯電粒子の色の補色の関係となる色であれば選択することができる。
【００７３】
分散媒２１の材料としては、実質的に無色透明であることが好ましい。このような分散媒２１としては、比較的高い絶縁性を有するものが好適に使用される。かかる分散媒２１の材料としては、上記以外にも、例えば各種類（蒸留水、純水、イオン交換水等）、メタノール、エタノール、ブタノール等のアルコール類、メチルセロソルブ等のセロソルブ類、酢酸メチル、酢酸エチル等のエステル類、アセトン、メチルエチルケトン等のケトン類、ペンタン等の脂肪族炭化水素類、シクロへキサン等の脂環式炭化水素類、ベンゼン、トルエンのような長鎖アルキル基を有するベンゼン類等の芳香族炭化水素類、塩化メチレン、クロロホルム等のハロゲン化炭化水素類、ピリジン、ピラジン等の芳香族複素環類、アセトニトリル、プロピオニトリル等のニトリル類、Ｎ，Ｎ−ジメチルホルムアミド等のアミド類、カルボン酸塩、流動パラフィンなどの鉱物油類、リノール酸、リノレン酸、オレイン酸等の植物油類、ジメチルシリコーンオイル、メチルフェニルシリコーンオイル、メチルハイドロジェンシリコーンオイル等のシリコーンオイル類、ハイドロフルオロエーテル等のフッ素系液体またはその他の各種油類等が挙げられ、これらを単独または混合物として用いることができる。分散媒２１として気体や真空を用いても良い。
【００７４】
また、分散媒２１中には、必要に応じて、例えば、電解質、界面活性剤、金属石鹸、樹脂材料、ゴム材料、油類、ワニス、コンパウンド等の粒子からなる荷電制御剤、例えばチタン系カップリング剤、アルミニウム系カップリング剤、シラン系カップリング剤等カップリング剤やその他の分散剤、潤滑剤、安定化剤等の各種添加剤を添加するようにしてもよい。
【００７５】
分散媒２１中に含まれる、帯電粒子、無帯電粒子および透明粒子は、それぞれいかなるものを用いることができ、特に限定はされないが、染料粒子、顔料粒子、樹脂粒子、セラミックス粒子、金属粒子、金属酸化物粒子またはこれらの複合粒子のうちの少なくとも１種が好適に使用される。これらの粒子は、製造が容易であるとともに、荷電の制御を比較的容易に行うことができるという利点を有している。
【００７６】
顔料粒子を構成する顔料としては、例えば、アニリンブラック、カーボンブラック、チタンブラック等の黒色顔料、二酸化チタン、三酸化アンチモン、硫化亜鉛、亜鉛華等の白色顔料、モノアゾ、ジスアゾ、ポリアゾ等のアゾ系顔料、イソインドリノン、黄鉛、黄色酸化鉄、カドミウムイエロー、チタンイエロー等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料、フェロシアン化第二鉄等のシアン色顔料、あるいは無機酸化鉄等のマゼンタ色顔料等が挙げられる。無機顔料、有機顔料を用いることも出来る。
これらのうちの１種または２種以上を組み合わせて用いることができる。
【００７７】
上記顔料の代わりに染料を用いて染料粒子を構成できる。この場合は白色顔料に染料を混入させても良いし、着色の顔料と混ぜて用いても良い。例えばカルボニウム系のマゼンタ等の染料を用いることもできる。
【００７８】
また、樹脂粒子を構成する樹脂材料としては、例えば、アクリル系樹脂、ウレタン系樹脂、尿素系樹脂、エポキシ系樹脂、ロジン樹脂、ポリスチレン、ポリエステル、スチレンとアクリロニトリルを共重合したＡＳ樹脂等が挙げられ、これらのうちの１種または２種以上を組み合わせて用いることができる。
【００７９】
また、複合粒子としては、例えば、顔料粒子の表面を樹脂材料で被覆したもの、樹脂粒子の表面を顔料で被覆したもの、顔料と樹脂材料とを適当な組成比で混合した混合物で構成される粒子等が挙げられる。また、分散媒２１中に含まれる各種粒子としては、粒子の中心を空洞にした構造のものを用いても良い。このような構成によれば、粒子の表面で光を散乱させることに加えて、粒子内部の、空洞を構成する壁面においても光を散乱させることができ、光の散乱効率を向上させることが可能となる。よって、白、及びその他の色の発色性を向上させることができる。
【００８０】
また、このような電気泳動粒子の分散媒２１中における分散性を向上させることを目的に、各粒子の表面に、分散媒２１と相溶性の高い高分子を物理的に吸着させたり、化学的に結合させたりすることができる。これらの中でも、電気泳動粒子の表面からの離脱着の問題から、高分子が化学的に結合しているものが特に好ましい。かかる構成とすれば、電気泳動粒子の見かけの比重が小さくなる方向に作用して、電気泳動粒子の分散媒２１での親和性、すなわち分散性を向上させることができる。
【００８１】
このような高分子としては、例えば、電気泳動粒子と反応性を有する基と帯電性官能基を有する高分子、電気泳動粒子と反応性を有する基と長鎖アルキル鎖、長鎖エチレンオキシド鎖、長鎖フッ化アルキル鎖、長鎖ジメチルシリコーン鎖等を有する高分子、および、電気泳動粒子と反応性を有する基と帯電性官能基と長鎖アルキル鎖、長鎖エチレンオキシド鎖、長鎖フッ化アルキル鎖、長鎖ジメチルシリコーン鎖等を有する高分子等が挙げられる。
【００８２】
上述したような高分子において、電気泳動粒子と反応性を有する基としては、例えば、エポキシ基、チオエポキシ基、アルコキシシラン基、シラノール基、アルキルアミド基、アジリジン基、オキサゾン基、およびイソシアネート基等が挙げられ、これらのうちの１種または２種以上を選択して用いることができるが、用いる電気泳動粒子の種類等に応じて、選択するようにすればよい。
【００８３】
電気泳動粒子の平均粒径は、特に限定されないが、０．０１〜１０μｍ程度であるのが好ましく、０．０２〜５μｍ程度であるのがより好ましい。
【００８４】
素子基板３００および対向基板３１０の周縁部には、電気泳動層３２Ａ，３２Ｂ（画像表示部５）の周囲全体を取り囲むように配置されたシール材（不図示）が形成されており、これら素子基板３００、対向基板３１０およびシール材によって電気泳動層３２Ａ，３２Ｂが封止されている。
【００８５】
次に、電気泳動表示装置の製造時における電気泳動層の形成工程のうち、電気泳動材料を注入する工程について述べる。
図７は、電気泳動材料を注入する工程を示す図である。
図７に示すように、隔壁６４を介して素子基板３００と対向基板３１０とを互いに対向配置させることによって、上記隔壁６４により画像表示部５を２つの空間５ａ，５ｂに分離した後、これら各空間５ａ，５ｂに連通する注入口６４ａ，６４ｂからそれぞれ異なる電気泳動材料を注入する。
具体的には、まず、素子基板３００上にポリイミドから成る隔壁形成材料を塗布して所定の厚さになるように成膜し、フォトリソグラフィーを用いてパターニングを行うことによって隔壁６４を形成する。隔壁６４の高さは、例えば１０〜３０μｍである。この時点では、隔壁６４はまだ完全にイミド化していない。
【００８６】
次に、素子基板３００上に隔壁６４を介して対向基板３１０を貼り合わせ、両基板３００，３１０に圧力を加えながら２２０℃で９０分間保持する。これで、隔壁６４は完全にイミド化し、素子基板３００と対向基板３１０とが隔壁６４を介して接続される。
【００８７】
次に、隔壁６４の注入口６４ａから青色の負帯電粒子２６（Ｂ）および赤色の正帯電粒子２７（Ｒ）が分散媒２１中に保持されてなる電気泳動材料を注入し、注入口６４ｂから緑色の正帯電粒子２７（Ｇ）および黒色の負帯電粒子２６（Ｂｋ）が分散媒２１中に保持されてなる電気泳動材料を注入する。この際、素子基板３００および対向基板３１０の全体を減圧下に配置して隔壁６４によって区画形成された各空間５ａ，５ｂ内の空気を排出し、減圧状態にしてから注入を行う。注入中に基板の周囲を大気圧に戻し、大気圧によって材料を加圧することによって注入スピードを向上させてもよい。そして、各空間５ａ，５ｂ内が電気泳動材料によって満たされて、画像表示部５全体に電気泳動材料が注入された後は、各注入口６４ａ，６４ｂを紫外線硬化樹脂から成る封止材６５によって封止する。これにより、空間５ａに電気泳動層３２Ａが形成され、空間５ｂに電気泳動層３２Ｂが形成される。
【００８８】
なお、素子基板３００と対向基板３１０との接続方法は上記に限らない。一例として、感光性アクリル材料を塗布してフォトリソグラフィー工程を用いて隔壁６４を形成し、対向電極３７の表面に紫外線硬化樹脂が塗布された対向基板３１０を貼り合わせた後に、紫外線を照射することによって隔壁６４を硬化させてもよい。この方法により、素子基板３００と対向基板３１０とを接続してもよい。
【００８９】
あるいは、素子基板３００上に、例えばフォトリソグラフィーを用いて接着性のあるスペーサーをパターン形成し、対向基板３１０を貼り合わせた後に素子基板３００と対向基板３１０とを加圧、焼成しながら両基板を接続するようにしてもよい。
なお、素子基板３００と対向基板３１０との間の各空間５ａ，５ｂ内にそれぞれ異なる電気泳動材料を注入する際の注入経路は、上記した隔壁６４によって規定されるが、図７に示したパターン以外のパターンを用いてもよい。例えば、隔壁６４の第１外壁部６４Ａおよび第２外壁部６４Ｂのそれぞれに広い注入口を設けて、短時間で注入作業が行えるように構成してもよい。
【００９０】
また、液晶表示装置のようにセルギャップが３μｍ程度の狭い空間内に粘度の高い液晶材料を注入する場合には、図７に示すような経路の長いパターンでは注入時間が長くなってしまい生産的ではない。しかし、電気泳動表示装置のようにセルギャップが厚く、例えば１０μｍ以上のセルギャップを有する場合には、粘度の低い電気泳動材料であれば短時間で注入作業を行うことができ、生産的であり、実用的な方法となる。
よって、上記したような注入方式を用いることにより、生産性が高く、高精細な表示が可能な電気泳動表示装置１００を実現することができる。
【００９１】
本実施形態の電気泳動表示装置１００によれば、サブ画素４０Ａ，４０Ｂ内にそれぞれ２種類の帯電粒子が保持されており、その結果、１つの画素４０内に４色の帯電粒子が保持されている構成となっている。このため、１つの画素４０を構成する２つのサブ画素４０Ａ，４０Ｂにおいて互いに異なる表示を行えるので、これらの表示の組み合わせによって表現できる色は従来の装置とは比べものにならないほど多く、多様な表現を実現することができる。また、各粒子の波長に対する光の強度を制御してサブ画素４０Ａ，４０Ｂにおける各表示色の階調を制御することにより、明度や彩度の調整も行えるため、フルカラーあるいはそれに近い表現を実現することができる。
【００９２】
また、サブ画素４０Ａには互いの波長領域が重なることのない色に着色された、透過粒子の帯電粒子２６（Ｂ）と反射粒子の帯電粒子２７（Ｒ）とが設けられているため、黒表示の際、外光はこれら帯電粒子２６（Ｂ），２７（Ｒ）において吸収されることとなり、いずれの粒子によっても吸収されずに外部にリークしてしまう光を減らすことができる。これにより、はっきりとした良好な黒表示を実現することができる。
また、対向基板３１０側から入射した光の一部が反射電極１３によって反射されて、より明るい表示が可能になるとともに、特に、紙により近い白表示を実現することができる。
また、本実施形態では、電気泳動層として、マイクロカプセルや１サブ画素の４辺を囲むような多数の隔壁等の仕切りを用いずに構成されたものであることから、このような仕切りによる開口率の低下やコントラストの低下が小さく、高コントラストで明るいくっきりとした表現が可能となる。
【００９３】
次に、本実施形態の電気泳動表示装置の動作原理について述べる。
図８は、電気泳動表示装置の動作原理について示す図である。ここでは、１つのサブ画素に着目して説明する。
なお、実際には画素電極と反射電極とは異なる層に形成されているが、説明をわかりやすくするために、図８では反射電極を画素電極と同じ層に示している。
【００９４】
図示していないが、最初に画素電極３５Ａにマイナス電圧ＶＬを印加し赤の正帯電粒子２７（Ｒ）を画素電極３５Ａに集合させ、画素電極３５Ｂにプラス電圧ＶＨを印加し青の負帯電粒子２６（Ｂ）を画素電極３５Ｂに集合させる。
【００９５】
次に、図８に示すように、画素電極３５Ａおよび画素電極３５Ｂに対してそれぞれ同じ大きさのマイナス電圧ＶＬを印加すると、例えば画素電極３５Ａ上に赤色の正帯電粒子２７（Ｒ）が複数吸着し、対向電極３７上に複数の青色の負帯電粒子２６（Ｂ）を分布させる事ができる。一方、画素電極３５Ａおよび画素電極３５Ｂに対してそれぞれ同じ大きさのプラス電圧ＶＨを印加すると、例えば画素電極３５Ｂ上に青色の負帯電粒子２６（Ｂ）が複数吸着し、対向電極３７上に赤色の正帯電粒子２７（Ｒ）が複数分布させる事ができる。
【００９６】
このように、画素電極３５Ａ，３５Ｂのそれぞれに印加する電圧を介して、帯電粒子２６，２７を画素電極３５Ａ，３５Ｂ側と対向電極３７側とに非対象に分布させることによって表示を制御することができる。
【００９７】
図９は、観測側（対向基板側）から見たときに視認される着色粒子の面積による階調の違いについて示すサブ画素の概念図である。ここでは、分かりやすくするために赤色粒子のみを用いて説明する。
図９（ａ）は、マイナス電圧ＶＬが印加された画素電極３５Ａ上に赤色の正帯電粒子２７（Ｒ）が吸着した状態である。この状態で対向基板３１０側から見ると、赤色粒子の分布面積に応じた小さな赤色ドットと、反射電極１３によって表現される白色とにより、若干赤みを帯びた白表示として見える。
【００９８】
図９（ｂ）は、画素電極３５Ａに対してマイナス電圧Ｖｌ（Ｖｌ＜ＶＬ）を印加して、図９（ａ）の状態において画素電極３５Ａ上に吸着していた正帯電粒子２７（Ｒ）の一部を対向電極３７側へと移動させた状態である。この状態で、対向基板３１０側から見ると、図９（ａ）の状態よりも大きい赤ドットが分布した状態となり、淡い赤色が表現される。
【００９９】
図９（ｃ）は、電気泳動層３２Ａ側における複数の正帯電粒子２７（Ｒ）のすべてを対向電極３７側へと移動させた状態である。この状態で、対向基板３１０側から見るとサブ画素４０Ａの全体が赤色に見える。
このように、電気泳動表示装置では、対向基板３１０側から見たときに視認される着色粒子の面積により階調を制御するように構成されている。
【０１００】
次に、本実施形態の電気泳動表示装置における動作（表示方法）について述べる。
図１０（ａ）は、白表示時における粒子の分布状態を示す図である。
サブ画素４０Ａ，４０Ｂ内の各画素電極３５Ａにマイナス電圧ＶＬを印加するとともに、各画素電極３５Ｂにプラス電圧ＶＨを印加する。これにより、サブ画素４０Ａにおける画素電極３５Ａ上に赤色の正帯電粒子２７（Ｒ）を吸着させるとともに画素電極３５Ｂ上に青色の負帯電粒子２６（Ｂ）を吸着させ、また、サブ画素４０Ｂにおける画素電極３５Ａ上に緑色の正帯電粒子２７（Ｇ）を吸着させるとともに画素電極３５Ｂ上に黒色の負帯電粒子２６（Ｂｋ）を吸着させる。
【０１０１】
このように、サブ画素４０Ａ，４０Ｂ内の画素電極３５Ａ，３５Ｂ上にすべての帯電粒子を集合させることにより、対向基板３１０側から電気泳動層３２Ａ，３２Ｂ内へ入射した外光は粒子が吸着していない反射電極１３において反射され、対向基板３１０側から観測者側へと出射する。これにより、明るい表示、すなわち明るい白表示が実現できる。
【０１０２】
ここで、反射電極１３の表面を酸化して形成した酸化物で構成しておくか、あるいは反射電極１３の表面に酸化膜を形成しておくことによって、反射率が向上するだけでなく、反射光を乱反射させることができる。その結果、メタリックな反射ではなく、紙のような白色により近い白表示を実現できるようになる。
【０１０３】
また、この状態は、電気泳動表示装置１００の表示画像を切り換えるときのプリセット状態でもある。電気泳動材料はメモリー性を有するため、表示画像を書き換えるときに画像表示部５における表示全体を一度クリアにするプリセット動作を行い、粒子の分布状態をリセットする必要がある。このリセットされた状態（プリセット状態）を基準として、そこから新たな表示画像の書き換え動作を行う。
【０１０４】
図１０（ｂ）は、赤表示時における粒子の分布状態を示す図である。
まず、先に述べたプリセット動作を実行して画素４０（各サブ画素４０Ａ，４０Ｂ）を白表示にした後、サブ画素４０Ａ内の画素電極３５Ａにプラス電圧ＶＨを印加するとともに、画素電極３５Ｂにもプラス電圧ＶＨを印加した。これにより、プリセット状態から引き続き、画素電極３５Ｂ上には青色の負帯電粒子２６（Ｂ）が吸着した状態のまま保持され、プリセット時に画素電極３５Ａ上に吸着していた赤色の正帯電粒子２７（Ｒ）はすべて対向電極３７側へと移動して、サブ画素４０Ａが赤表示となる。一方、サブ画素４０Ｂの各画素電極３５Ａ，３５Ｂに対してはマイナス電圧ＶＬをそれぞれ印加して、帯電粒子２６（Ｇ）をすべて画素電極３５Ａ上に保持させておくとともに、帯電粒子２７（Ｂｋ）を対向電極３７側へとすべて移動させることで、サブ画素４０Ｂが黒表示となる。
【０１０５】
ここで、サブ画素４０Ａにおける赤色の正帯電粒子２７（Ｒ）は透明粒子（透過粒子）であることから、対向基板３１０側から入射した外光は、正帯電粒子２７（Ｒ）を透過した後に素子基板３００側の反射電極１３において反射されて、再度、正帯電粒子２７（Ｒ）を透過して外部に出射する。この際、最初に透過する正帯電粒子２７（Ｒ）において赤色以外の光の一部が吸収されて、赤色を含む光が反射電極１３で反射される。そして、この反射光が再び正帯電粒子２７（Ｒ）に入射することによって、赤色以外の光が再度吸収されるため、くっきりした赤い光のみが対向基板３１０側から外部に出て行くことになる。このため、サブ画素４０Ａは赤表示となる。
このときの出射光（表示画像）の明るさは反射電極１３の面積に比例する。このため、画素電極３５Ａ，３５Ｂが存在する領域にも反射性（散乱性）を付与することが好ましい。すなわち、反射電極１３と同様に、画素電極３５Ａ，３５Ｂに反射性を付与し、その表面を金属酸化物で構成してもよいし、金属層の表面を別途酸化させて酸化膜を形成してもよい。
【０１０６】
ここで、透明粒子とは、可視光領域において特定波長領域の光を吸収し、それ以外の波長の光を散乱または透過させる粒子のことである。本実施形態においては、赤色の約６００〜８００ｎｍの光を散乱または透過させている。なお、可視光以外の領域は不問とする。
【０１０７】
上記したように、サブ画素４０Ａを赤表示、サブ画素４０Ｂを黒表示とすることにより、画素４０全体が赤表示となる。
【０１０８】
図１０（ｃ）は、青表示時における粒子の分布状態を示す図である。
まず、プリセット動作を実行した後、サブ画素４０Ａ内の画素電極３５Ａ，３５Ｂにマイナス電圧ＶＬをそれぞれ印加して、赤色の正帯電粒子２７（Ｒ）を画素電極３５Ａ上に保持させたままにするとともに、プリセット時に画素電極３５Ｂ上に吸着していた青色の負帯電粒子２６（Ｂ）を対向電極３７側へとすべて移動させることにより、サブ画素４０Ａを青表示にする。一方、サブ画素４０Ｂ内の画素電極３５Ａ，３５Ｂには引き続きプリセット動作後に、図１０（ｂ）と同様の動作で黒表示とする。
【０１０９】
ここで、青色の負帯電粒子２６（Ｂ）は反射粒子であり、対向基板３１０側から入射した光の一部はこの負帯電粒子２６（Ｂ）において反射される。具体的には、青色以外の光は負帯電粒子２６（Ｂ）において吸収され、青色光のみが負帯電粒子２６（Ｂ）において反射されて対向基板３１０側から出射する。このときの青表示の明るさは、対向電極３７上に分布した青色の負帯電粒子２６（Ｂ）の実行的な分布面積に比例する。そのため、十分な青色光の反射が行えるような範囲（厚さ）で、対向電極３７上に青色粒子を２次元あるいは３次元的に分布させることが好ましい。
【０１１０】
青色の負帯電粒子２６（Ｂ）における青色光の反射率は極力高いことが望ましく、少なくとも６０％以上、より好ましくは９０％以上の反射率を有していることである。さらに、青色以外の光の反射率は低い程よく、できれば１０％以下、より好ましくは５％以下が好適である。
また、少なくとも反射において拡散反射（乱反射）の成分を有していることが望ましい。ここで、反射粒子とは、可視光領域において特定波長領域の光を吸収し、それ以外の波長の光を散乱または反射させる粒子を指す。本実施形態においては、青色の波長、約４００〜５００ｎｍの光を散乱または反射させている。なお、可視光領域以外は不問とする。
【０１１１】
なお、緑色の正帯電粒子２７（Ｇ）は反射粒子および透過粒子のいずれであってもよいが、本実施形態では透明粒子とした。
なお、反射粒子とする場合は、緑色光の反射率が極力高いことが望ましく、上記の青粒子と同様に、少なくとも６０％以上、より好ましくは９０％以上の反射率を有しているとともに、緑色以外の光の反射率は低い程よく、できれば１０％以下、より好ましくは５％以下が好適である。
【０１１２】
上記したように、サブ画素４０Ａを青表示、サブ画素４０Ｂを黒表示とすることで、画素４０全体が青表示となる。
【０１１３】
図１０（ｄ）は、黒表示時における粒子の分布状態を示す図である。
黒表示を行う際においても、まずプリセット動作を実行する。プリセット動作を実行して画素４０（各サブ画素４０Ａ，４０Ｂ）を白表示にした後、サブ画素４０Ａの画素電極３５Ａにプラス電圧ＶＨを印加して対向電極３７側へ赤色の正帯電粒子２７（Ｒ）をすべて移動させる。移動した複数の正帯電粒子２７（Ｒ）は、対向電極３７の表面を覆うように分布することになる。
【０１１４】
その後、所定の時間をおいてから、画素電極３５Ｂに対してマイナス電圧ＶＬを印加して、対向電極３７側へ青色の負帯電粒子２６（Ｂ）をすべて移動させる。対向電極３７側へと移動した青色の負帯電粒子２６（Ｂ）は、対向電極３７の表面上に分布している赤色の正帯電粒子２７（Ｒ）の下側に配置され、これら正帯電粒子２７（Ｒ）と重なるようにして３次元的に分布する。このように、対向電極３７の直下にまず赤色の正帯電粒子２７（Ｒ）を配置した後、これら正帯電粒子２７（Ｒ）の直下に負帯電粒子２６（Ｂ）を配置させる。
【０１１５】
この状態だと、対向基板３１０側から入射した光は、まず透過粒子である赤色の正帯電粒子２７（Ｒ）において赤色以外の光の一部が吸収されて青色の負帯電粒子２６（Ｂ）に到達する。負帯電粒子２６（Ｂ）に到達した光のうち、青色光以外の光、つまり赤色光は負帯電粒子２６（Ｂ）において吸収される。また、正帯電粒子２７（Ｒ）を透過することなく負帯電粒子２６（Ｂ）に直接到達した外光は、そのうちの青色光のみが負帯電粒子２６（Ｂ）において反射されて、それ以外の色の光は吸収される。負帯電粒子２６（Ｂ）で反射された青色光は正帯電粒子２７（Ｒ）において吸収される。このため、結果として黒表示となる。
一方のサブ画素４０Ｂにおいては図１０（ｂ）と同様にプリセット動作後に黒表示とする。
また、サブ画素４０Ａを黒表示する正帯電粒子２７（Ｒ）と負帯電粒子２６（Ｂ）との移動を開始する時間のずれは上記に限らない。正帯電粒子２７（Ｒ）を移動開始させ、まだ、対向電極３７側に移動しきらない時に負帯電粒子２６（Ｂ）を移動開始させても良い。
【０１１６】
図１１は、緑表示時における粒子の分布状態を示す図である。
まず、プリセット動作を実行して画素４０（サブ画素４０Ａ，４０Ｂ）を白表示にした後、サブ画素４０Ａの画素電極３５Ａ，３５Ｂに対して当該サブ画素４０Ａを黒表示にする所定の電圧を、それぞれ時間差を設けて印加するとともに、サブ画素４０Ｂの画素電極３５Ａ，３５Ｂにプラス電圧ＶＨをそれぞれ印加する。
これにより、サブ画素４０Ａでは、対向電極３７上に分布する赤色の正帯電粒子２７（Ｒ）の直下に青色の負帯電粒子２６（Ｂ）が配置されて黒表示となる。サブ画素４０Ｂでは、画素電極３５Ｂ上に黒色の負帯電粒子２６（Ｂｋ）が吸着するとともに、対向電極３７上に緑色の正帯電粒子２７（Ｇ）が広く分布して、緑表示となる。
つまり、サブ画素４０Ｂでは、外光が対向電極３７上に広く分布した透過性の緑色の正帯電粒子２７（Ｇ）に入射して、緑色以外の光の一部が吸収される。正帯電粒子２７（Ｒ）を透過した緑色光を含む光は反射電極１３において反射された再び正帯電粒子２７（Ｇ）へと入射し、緑色以外の光が吸収されて緑色光のみが外部に出射する。これにより、緑表示となる。
ここで、緑粒子を透過粒子としたが、反射粒子であってもよい。
【０１１７】
次に、ＲＧＢそれぞれの低い明度（暗い色）表示する方法を示す。
図１２（ａ）は、暗い緑表示における粒子の分布状態を示す図である。
プリセット動作の後、サブ画素４０Ａの画素電極３５Ａ，３５Ｂに対して黒表示を実現する電圧をそれぞれ印加するとともに、サブ画素４０Ｂの画素電極３５Ａに対してＶｈ２（０＜Ｖｈ２＜ＶＨ）を印加して緑色の正帯電粒子２７（Ｇ）の一部を対向電極３７側に移動させ、さらに、画素電極３５Ｂに対してＶｌ２（０＜Ｖｌ２＜ＶＬ）を印加して黒色の負帯電粒子２６（Ｂｋ）を対向電極３７側に移動させた。ここで、対向電極３７側へ移動する緑粒子の方が黒粒子よりも多くなるように各画素電極３５Ａ，３５Ｂに対して印加する電圧の大きさを調整する。
【０１１８】
この状態で対向基板３１０側から見ると、サブ画素４０Ｂでは緑色の中に黒ドットが存在し、その結果、暗い緑表示となる。この緑色と黒色の面積を制御することで任意の明度を表現できる。また、各色の面積は、画素電極３５Ａ，３５Ｂに印加する電圧の大きさ、印加時間の長短、電圧を印加するタイミングで制御することができる。この面積とは、対向電極３７上に２次元、３次元的な広がりをすべて考慮した、観測者側（外部）から観察される実効的な面積である。このように、階調表示を行うことができるのは、サブ画素４０Ａ，４０Ｂがそれぞれ複数の画素電極３５Ａ，３５Ｂの集合体からなり、これら画素電極３５Ａ，３５Ｂをそれぞれ独立に制御しているからである。
【０１１９】
次に、赤粒子および青粒子による階調制御を行った際の表示を示す。
図１２（ｂ）は、暗い赤表示における粒子の分布状態を示す図である。
プリセット動作の後、まず、サブ画素４０Ａの画素電極３５Ｂに対してプラス電圧ＶＨを印加して赤色の正帯電粒子２７（Ｒ）をすべて対向電極３７側へと移動させる。その後、サブ画素４０Ａの画素電極３５Ｂに対してマイナス電圧Ｖｌ（ＶＬ＜Ｖｌ＜０）を印加して青色の負帯電粒子２６（Ｂ）の一部を対向電極３７側へと移動させることにより、赤色の中に黒ドットを形成できる。その結果、サブ画素４０Ａが暗い赤表示となる。
一方、サブ画素４０Ｂの各画素電極３５Ａ，３５Ｂに対しては、黒表示となる電圧を印加しておく。
【０１２０】
図１２（ｃ）は、暗い青表示における粒子の分布状態を示す図である。
プリセット動作の後、まず、サブ画素４０Ａの画素電極３５Ａに対してプラス電圧Ｖｈ（０＜Ｖｈ＜ＶＨ）を印加して赤色の正帯電粒子２７（Ｒ）の一部を対向電極３７側へと移動させる。その後、サブ画素４０Ａの画素電極３５Ｂに対してマイナス電圧ＶＬを印加して青色の負帯電粒子２６（Ｂ）をすべて対向電極３７側へと移動させることにより、青色の中に黒ドットが存在する。その結果、サブ画素４０Ａが暗い青表示となる。
一方、サブ画素４０Ｂの各画素電極３５Ａ，３５Ｂに対しては、黒表示となる電圧を印加しておく。
【０１２１】
上記は一例であり、各粒子の分布面積および分布状態の制御は、画素電極３５Ａ，３５Ｂに対してそれぞれ印加する電圧の大きさ、印加時間、印加タイミングによって制御する。
また、赤表示領域および黒表示領域における各面積は、対向基板３１０側（対向電極３７上）における各色の帯電粒子の２次元あるいは３次元的な広がりをすべて考慮した、対向基板３１０側から観測される実効的な面積である。
【０１２２】
次に、混色表示の例について述べる。
図１３（ａ）は、暗いシアン表示における粒子の分布状態を示す図である。
ここでは、サブ画素４０Ａの画素電極３５Ａ，３５Ｂに対して当該サブ画素４０Ａを暗い青表示にする電圧をそれぞれ印加し、サブ画素４０Ｂの画素電極３５Ａ，３５Ｂに対して当該サブ画素４０Ｂを暗い緑表示にする電圧をそれぞれ印加する。
これらサブ画素４０Ａ，４０Ｂによって画素４０全体が暗いシアン表示となる。
【０１２３】
図１３（ｂ）は、マゼンタ表示における粒子の分布状態を示す図である。
ここでは、サブ画素４０Ａの画素電極３５Ａ，３５Ｂに対して当該サブ画素４０Ａをマゼンタ表示にする電圧をそれぞれ印加し、サブ画素４０Ｂの画素電極３５Ａ，３５Ｂに対して当該サブ画素４０Ｂを黒表示にする電圧をそれぞれ印加する。
サブ画素４０Ａの画素電極３５Ａに対してプラス電圧Ｖｈ（０＜Ｖｈ＜ＶＨ）を印加するとともに、画素電極３５Ｂに対してマイナス電圧Ｖｌ（ＶＬ＜Ｖｌ＜０）を印加する。このとき、対向電極３７側へ移動する赤粒子および青粒子の分布面積が等しくなるように印加電圧を制御する。さらに、各画素電極３５Ａ，３５Ｂに対して所定の電圧を同時に印加することによって、赤粒子と青粒子との重なりが少なくなるようにしている。これらサブ画素４０Ａ，４０Ｂによって画素４０全体がマゼンタ表示となる。
また、絶対値で異なる電圧を各画素電極３５Ａ，３５Ｂに対して印加して、赤粒子と青粒子のどちらか一方を他方より早く対向電極３７へと到達させてもよい。
なお、各色の粒子の重なりを少なくして黒表示領域を少なくすることができれば、各画素電極３５Ａ，３５Ｂに対して電圧を印加するタイミングは同時に限らない。
また、赤粒子と青粒子のそれぞれの面積を変化させることでマゼンタの色調を制御することができる。
【０１２４】
以上述べた方法によってフルカラーあるいはそれに近い表示が可能となる。
また、反射膜を設けで光の反射効率を高めることによってより明るい表示を実現でき、特に、紙に近い白表示が得られるようになる。
【０１２５】
液晶表示装置のカラーフィルター方式においては、３つのサブ画素がＲＧＢの表示となったときに画素全体が白表示となる。つまり、ＲＧＢの最大明度を足し合わせたものである。そのため、白色とカラーとのバランスが良好で自然な色が表現できる。
しかし、上述した本実施形態の電気泳動表示装置における表示方法では、２つのサブ画素４０Ａ，４０Ｂの表示色の和によって白表示が得られるようにはなっていない。
白は独立に存在し、表示面積はサブ画素４０Ａ，４０Ｂを合わせた面積であるため、各ＲＧＢの最大値を表示する面積の２倍となっている。このため、白表示に比べて他の表示色の明度が低く、暗いカラー表示となってしまう。
さらに、緑表示は、サブ画素４０Ｂを用いて表現できるが、サブ画素４０Ａ内に赤粒子と青粒子が一緒に存在するため、赤表示および青表示にいたってはそれぞれの表示面積の和が規定されている。このため、明るい表示を実現できない。
これらの課題を解決する表示方法を以下に述べる。
【０１２６】
（明るく淡い色の表示方法）
ここでは、白色を背景にしてＲＧＢのいずれか色のドットを混在させることによって、明度の高い表示を可能とする。
図１４（ａ）は、明るく淡い緑表示時における粒子の分布状態を示す図である。
プリセット動作の後、サブ画素４０Ｂの画素電極３５Ｂに対してプラス電圧ＶＨを印加して黒粒子を画素電極３５Ｂ上に保持させるとともに、画素電極３５Ａに対してプラス電圧Ｖｈ（Ｖｈ＜ＶＨ）を印加して、緑色の正帯電粒子２７（Ｇ）の一部を対向電極３７側へと移動させる。これにより、一部の緑色の正帯電粒子２７（Ｇ）は、画素電極３５Ａ上に位置する対向電極３７の一部を覆うようにして小さな分布領域で配置される。緑色の正帯電粒子２７（Ｇ）によって覆われない対向電極３７の他の部分は透明であるため、入射した光は反射電極１３によって反射されて白表示となる。
よって、サブ画素４０Ｂは白色内に複数の緑ドットが混在することになり、画素全体として明るく淡い緑表示となる。
このとき、サブ画素４０Ａは黒表示となっているが、一部が白表示になるように各粒子２６（Ｂ），２７（Ｒ）の分布を制御することによって、より明るく淡い緑表示が可能となる。
【０１２７】
図１４（ｂ）は、明るく淡い赤表示時における粒子の分布状態を示す図である。
プリセット動作の後、サブ画素４０Ｂの画素電極３５Ａ，３５Ｂに対してマイナス電圧ＶＬを印加し、画素電極３５Ａ上に緑色の正帯電粒子２７（Ｇ）をすべて吸着させるとともに、黒粒子を対向電極３７側へとすべて移動させることによってサブ画素４０Ｂを黒表示にする。一方、サブ画素４０Ａの画素電極３５Ａに対してプラス電圧ＶＨを印加して青粒子を画素電極３５Ｂ上に保持させるとともに、画素電極３５Ａに対してプラス電圧Ｖｈ（Ｖｈ＜ＶＨ）を印加して、赤粒子の一部を対向電極３７側へと移動させる。これにより、一部の赤色の正帯電粒子２７（Ｒ）は、画素電極３５Ａ上に位置する対向電極３７の一部を覆うようにして小さな分布領域で配置される。赤粒子によって覆われない対向電極３７の他の部分は透明であるため、入射した光は反射電極１３によって反射されて白表示となる。よって、サブ画素４０Ａは白表示内に複数の赤ドットが混在することになり、画素全体として明るく淡い赤表示となる。
【０１２８】
図１４（ｃ）は、明るく淡いマゼンタ表示時における粒子の分布状態を示す図である。
プリセット動作の後、サブ画素４０Ｂの画素電極３５Ａ，３５Ｂに対してマイナス電圧ＶＬを印加して黒表示にし、サブ画素４０Ａの画素電極３５Ａにマイナス電圧Ｖｌを印加すると同時に、画素電極３５Ｂに対してプラス電圧Ｖｈを印加する。上記した通常のマゼンタ表示時に印加する電圧よりも小さい電圧を各画素電極３５Ａ，３５Ｂに対して印加することによって、対向電極３７が粒子で覆われていない透明エリア（白表示エリア）を確保する。よって、サブ画素４０Ａは、赤ドットと青ドットとの間に白表示エリアが存在することになり、画素全体として明るく淡いマゼンタ表示となる。
図１４において片方のサブ画素と黒表示としたが、黒表示を灰色または白とすることでより淡く明るい色を表現できる。
【０１２９】
以上の説明は帯電粒子を移動させる際の電圧印加方法の例示であり、他の方法も可能である。
例えば、反射電極１３に印加する電圧は、基本的に対向電極３７と同じ電圧である。しかし、この場合は、対向電極３７から画素電極３５Ａ，３５Ｂ側へと帯電粒子を移動させる際は問題ないが、画素電極３５Ａ，３５Ｂ側から対向電極３７側へと帯電粒子を移動させる動作のときに、反射電極１３上に帯電粒子が移動してきてしまうことがある。これを避けるために、面方向における画素電極３５Ａ，３５Ｂと反射電極１３との距離を、対向電極３７と画素電極３５Ａ，３５Ｂとの距離（セルギャップｄ）よりも長くなるように設定する。または反射電極１３上に絶縁膜を形成し、反射電極１３の電位が帯電粒子に影響しないように設定する。
【０１３０】
他の例として、反射電極１３に交流電圧を印加する方法もある。そこでは、帯電粒子を対向電極３７側へと移動させる時に、２フィールド用いて移動させる。例えば、プリセット後の最初のフィールドにおいて画素電極３５Ａ上に吸着していた正帯電粒子２７（Ｒ）を対向電極３７側へと移動させる際、画素電極３５Ａにプラス電圧を印加するとともに反射電極１３に対してもプラス電圧を印加する。これで正帯電粒子２７（Ｒ）が反射電極１３上に移動することを防止できて、画素電極３５Ａ上から対向電極３７側へとスムーズに移動する。すなわち、反射電極１３上へ移動してきた正帯電粒子２７（Ｒ）は反射電極１３の電圧によってはじかれて、対向電極３７へと移動するようになる。
【０１３１】
また、次のフィールドにおいて、例えば、各サブ画素４０Ａ，４０Ｂの画素電極３５Ｂ，３５Ｂ上に吸着していた負帯電粒子２６（Ｂ），２６（Ｂｋ）を対向電極３７側へと移動させる際は、これら画素電極３５Ｂ，３５Ｂにマイナス電圧を印加するとともに反射電極１３にもマイナス電圧を印加する。これにより、反射電極１３上に移動してきた負帯電粒子２６（Ｂ），２６（Ｂｋ）がはじかれて対向電極３７側へとスムーズに移動することとなる。
【０１３２】
さらに、対向電極３７側から画素電極３５Ａ，３５Ｂ側へ各帯電粒子２６（Ｂ），２６（Ｂｋ），２７（Ｒ），２７（Ｇ）を移動させる場合には、反射電極１３に対して対向電極３７と同じ電圧を印加する。
このように、反射電極１３に対して印加する電圧によって各帯電粒子のいずれかの移動制御の補助を行うことができる。
【０１３３】
また、次の表示画像に書き換える場合（表示が同一の場合も含む）には、一度画像をリセットする。このとき、先の画像を表示する前に実行した第１のプリセット動作時に各画素電極３５Ａ，３５Ｂに対して印加した電圧の極性と、次の画像を表示する前に実行する第２のプリセット動作時に各画素電極３５Ａ，３５Ｂに対して印加する電圧の極性とを交換する。
これにより、各サブ画素４０Ａ，４０Ｂ内では、画素電極３５Ａ，３５Ｂと対向電極３７とを含めた３つの電極によって完全な交流駆動が可能となる。したがって、各電極の腐食や電気泳動材料の劣化を防止することができる。
【０１３４】
なお、上述した各電極に印加する電圧の大きさや印加タイミング等は一例であって、他の方法を用いることが可能である。例えば、階調表示を各画素電極３５Ａ，３５Ｂに印加する電圧を含めて制御することなどが挙げられる。
【０１３５】
図１５は、視感度補正後の波長と光強度の分布概念図である。
図１５に示すように、赤色の透明粒子と青色の反射粒子とでは、反射スペクトルが重ならない。重なった波長の光は、赤色粒子および青色粒子のいずれにおいても吸収されることなく外部に出射することとなるため、良好な黒表示を実現することができない。
また、重なる波長の光の光強度は他の光強度のＭａｘ値の１０％以下が望ましい。なお、良好な黒表示を得るためには２％以下が望ましい。
【０１３６】
次に、電気泳動表示装置の具体的な駆動方法について述べる。
以下の説明において、０Ｖとは、ＧＮＤ電圧あるいはＶｃｏｍを意味する。
本実施形態の電気泳動表示装置は、１画素が２つのサブ画素からなるため、サブ画素ごとに説明する。ここでは、画像表示部のうち、最初に走査線で選択される画素の書き込み等の動作を示す。対向電極３７はＶｃｏｍである。
図１６および図１７は、マゼンタ表示を行う際のそれぞれサブ画素４０Ａ、４０Ｂの駆動方法を示すタイミングチャート図である。
まず、プリセット期間Ｔ１１において、走査線６６（６６Ａ，６６Ｂ）に選択電圧Ｖｇｈ（選択トランジスタＴＲ１，ＴＲ２をＯＮにする電圧）を印加して、データ線６８Ａを介して画素電極３５Ａにマイナス電圧ＶＬを印加するとともにデータ線６８Ｂを介して画素電極３５Ｂに対してプラス電圧ＶＨすることにより、サブ画素４０Ａの各画素電極３５Ａ，３５Ｂ上に帯電粒子２６（Ｂ），２７（Ｒ）をそれぞれ集合させる。同様にして、サブ画素４０Ｂの各画素電極３５Ａ，３５Ｂ上に帯電粒子２６（Ｇ），２７（Ｂｋ）をそれぞれ集合させる。これにより、各サブ画素４０Ａ，４０Ｂが白表示となり、リセット状態となる。
【０１３７】
次に、書き込み期間Ｔ１２において、サブ画素４０Ａの画素電極３５Ａに対してプラス電圧Ｖｈ（０＜Ｖｈ＜ＶＨ）を印加すると同時に画素電極３５Ｂに対してマイナス電圧Ｖｌ（ＶＬ＜Ｖｌ＜０）を印加して、画素電極３５Ａ上に吸着していた赤色の正帯電粒子２７（Ｒ）の一部、画素電極３５Ｂ上に吸着していた青色の負帯電粒子２６（Ｂ）の一部を対向電極３７側へと移動させる。ここで、対向電極３７上における青色の負帯電粒子２６（Ｂ）と赤色の正帯電粒子２７（Ｒ）の分布領域はそれぞれ略等しく、これによって赤色と青色との混色表示、すなわちマゼンタ表示となる。
【０１３８】
一方、サブ画素４０Ｂの画素電極３５Ａに対してはプリセット動作から引き続いてマイナス電圧ＶＬを印加することによって、画素電極３５Ａ上に緑色の正帯電粒子２７（Ｇ）を保持させる。ここで、画素電極３５Ｂに対してもマイナス電圧ＶＬを同時に印加することによって画素電極３５Ｂ上に吸着していた黒色の負帯電粒子２６（Ｂｋ）を対向電極３７側へとすべて移動させる。これにより、サブ画素４０Ｂは黒表示となる。
このように、サブ画素４０Ａをマゼンタ表示、サブ画素４０Ｂを黒表示とすることで、画素全体がマゼンタ表示となる。
【０１３９】
その後、画像保持期間Ｔ１３において、サブ画素４０Ａ，４０Ｂの各データ線６８Ａ、６８Ｂ、各画素電極３５Ａ，３５Ｂを０ＶあるいはＶｃｏｍにし、各粒子２６（Ｂ），２７（Ｒ），２６（Ｂｋ），２７（Ｇ）の分布状態、すなわち各サブ画素４０Ａ，４０Ｂの表示状態を保持する。
尚、電気泳動表示装置１００の電源スイッチが入っていれば各データ線６８Ａ、６８Ｂ、各電極３５Ａ，３５Ｂ，３７にＧＮＤ電位が入力され、電源スイッチが切ってあればフローティング状態となる。
【０１４０】
次に、プリセット動作を実施する。
このプリセット動作は、画像を書き換える際に実施するもので、連続表示を行う場合にも同様に行う。
例えば、連続してマゼンタ表示を行う場合には、先のプリセット動作時とは異なる極性の電圧を各サブ画素４０Ａ，４０Ｂの画素電極３５Ａ，３５Ｂにそれぞれ印加して極性を逆転させる。これにより、各画素電極３５Ａ，３５Ｂ上にそれぞれ先のプリセット動作時とは異なる色の粒子が吸着し、表示がリセットされる。
【０１４１】
次に、書き込み期間Ｔ２２において、画素電極３５Ａに対してマイナス電圧Ｖｌ（ＶＬ＜Ｖｌ＜０）を印加すると同時に、画素電極３５Ｂに対してプラス電圧Ｖｈ（０＜Ｖｈ＜ＶＨ）を印加し、画素電極３５Ａ上に吸着していた青色の負帯電粒子２６（Ｂ）の一部、画素電極３５Ｂ上に吸着していた赤色の正帯電粒子２７（Ｒ）の一部をそれぞれ対向電極３７側へと移動させることによって、先の表示と同様のマゼンタ表示となる。
サブ画素４０ＢはＴ１２と逆極性の電圧を画素電極３５Ａ，３５Ｂに印加して黒表示となる。
【０１４２】
その後、画像保持期間Ｔ２３において、各サブ画素４０Ａ，４０Ｂの画素電極３５Ａ，３５Ｂを０Ｖにし、各粒子２６（Ｂ），２７（Ｒ），２６（Ｂｋ），２７（Ｇ）の分布状態、すなわち画素の表示状態を保持する。
【０１４３】
次に、連続して黒表示を行う際の駆動方法を説明する。ここで対向電極３７の電位はＶｃｏｍである。
図１８は、黒表示を連続して行う際の駆動方法を示すサブ画素４０Ａのタイミングチャート図である。図中１本の走査線６６の選択期間を図１６，図１７より長く取ってある。これは図示する上でわかりやすくするためである。また、サブ画素４０Ｂは図１７において走査線の選択期間を図１８と同じにしたものとなる。
【０１４４】
まず、プリセット期間Ｔ１１において、走査線６６Ａ，６６Ｂに選択電圧Ｖｇｈを印加することによりデータ線６８Ａ，６８Ｂを介して、各サブ画素４０Ａ，４０Ｂの画素電極３５Ａにマイナス電圧ＶＬを印加するとともに画素電極３５Ｂにプラス電圧ＶＨを印加する。これにより、各画素電極３５Ａ，３５Ｂ上に帯電粒子２６（Ｂ），２７（Ｒ）、２６（Ｂｋ），２７（Ｂｋ）をそれぞれ集合させ、リセット状態にする。
【０１４５】
次に、書き込み期間Ｔ１２において、まず、サブ画素４０Ａにおいては、画素電極３５Ａに対してプラス電圧Ｖを印加すると同時に画素電極３５Ｂを０Ｖ（Ｖｃｏｍ）にして、画素電極３５Ａ上に吸着した赤色の正帯電粒子２７（Ｒ）のみを対向電極３７側への移動動作を行なう。その後、所定の時間（図１８中の「書き込み時間差」）をおいて、画素電極３５Ｂに対してマイナス電圧ＶＬを印加して、画素電極３５Ｂ上に吸着していた青色の負帯電粒子２６（Ｂ）をすべて対向電極３７側への移動動作を行い、先に対向電極３７の表面上に分布させておいた赤色の正帯電粒子２７（Ｒ）の下方に配置させる。その結果、サブ画素４０Ａが黒表示となる。
【０１４６】
一方、サブ画素４０Ｂにおいては、画素電極３５Ａ，３５Ｂに対して同時にマイナス電圧ＶＬを印加することで黒色の負帯電粒子２６（Ｂｋ）のみを対向電極３７側へと移動させ、黒表示にする。このように、黒表示とされた各サブ画素４０Ａ，４０Ｂにより画素全体が黒表示となる。
【０１４７】
その後、画像保持期間Ｔ１３において各サブ画素４０Ａ，４０Ｂの各データ線６８Ａ、６８Ｂ、画素電極３５Ａ，３５Ｂを０Ｖにし、各粒子２６（Ｂ），２７（Ｒ），２６（Ｂｋ），２７（Ｇ）の分布状態、すなわち画素の表示状態を保持する。
なお、電気泳動表示装置の電源スイッチが入っていれば各データ線６８Ａ、６８Ｂ、各電極３５Ａ，３５Ｂ，３７にＧＮＤ電位が入力され、電源スイッチが切ってあればフローティング状態となる。
【０１４８】
次に、プリセット期間Ｔ２１を実行する。
ここでは、先のプリセット動作時とは異なる極性の電圧を各サブ画素４０Ａ，４０Ｂの画素電極３５Ａ，３５Ｂに対して印加する。つまり、画素電極３５Ａに対してプラス電圧ＶＨを印加するとともに、画素電極３５Ｂに対してマイナス電圧ＶＬを印加して、先のプリセット動作時に各画素電極３５Ａ，３５Ｂに印加した電圧の極性を逆転させる。これにより、各画素電極３５Ａ，３５Ｂ上に先のプリセット動作時とは逆の色の粒子が集合して、表示がリセットされる。
【０１４９】
次に、書き込み期間Ｔ２２において、まず、画素電極３５Ｂに対してプラス電圧ＶＨを印加すると同時に画素電極３５Ａを０Ｖにして、画素電極３５Ｂ上に吸着した赤色の正帯電粒子２７（Ｒ）のみを対向電極３７側へと移動させる。その後、所定の時間（「書き込み時間差」）をおいて、画素電極３５Ａに対してマイナス電圧ＶＬを印加して、画素電極３５Ａ上に吸着していた青色の負帯電粒子２６（Ｂ）をすべて対向電極３７側へと移動させ、先に対向電極３７の表面上に分布させておいた青色の負帯電粒子２６（Ｂ）の下方に配置させる。その結果、黒表示となる。
【０１５０】
その後、画像保持期間Ｔ２３において各データ線６８Ａ、６８Ｂ、各画素電極３５Ａ，３５Ｂを０Ｖにし、各帯電粒子２６（Ｂ），２７（Ｒ）の分布状態、すなわち画素の表示状態を保持する。
図１８のＴ１２、Ｔ２２中の「書き込み時間差」の時に、青粒子を放出する画素電極３５Ａ、３５ＢにＶｃｏｍが印加されているが、その電圧に限らない。画素電極３５Ａ、３５Ｂに集合した青粒子を保持する電圧であれば何でも良い。
【０１５１】
ここでは、表示を切り換える際に実施するプリセット動作において、各画素電極３５Ａ，３５Ｂに印加する電圧の極性を逆転させる動作は、単数画面毎だけでなく、複数画面の書き換え毎に行ってもよい。
プリセット動作時に各帯電粒子を各画素電極側へと確実に引き寄せるために大きな電圧が印加され、画像書き込み時にはその逆極性で絶対値が同等以下の電圧が印加される。そのため、プリセット動作ごとに各画素電極に同じ極性の電圧を繰り返し印加すると、画素電極３５Ａ、３５Ｂと対向電極３７との間に直流電圧が印加されてしまう。これは、電極の腐食や電気泳動材料の劣化の要因になる。このため、各画素電極に印加する電圧の極性を異ならせた、第１プリセット動作と第２プリセット動作とを交互に用いることによって上記したような課題を解決することができる。
【０１５２】
また、書き込み期間Ｔ１２，Ｔ２２において、画素電極３５Ａ，３５Ｂに電圧を印加するタイミングに差を設ける方法は上記方法に限らない。例えば、赤粒子を移動させるフィールドと、青粒子を移動させるフィールドとを異ならせてもよい。また、画素電極３５Ａ、３５Ｂに印加する電圧の絶対値や印加時間を両画素電極３５Ａ，３５Ｂ間で変えて、粒子の移動速度を制御して、赤と青粒子の対向電極３７上の粒子の積層順を制御しても良い。
【０１５３】
なお、上記プリセット期間Ｔ１１、Ｔ１２においては、走査線を順次選択して画像データを書き込む方法を用いたが、画面全体に設けられた全ての走査線を一括選択して全ての走査線に同時に画像データを書き込む方法を用いてもよい。
また、複数の走査線を同時に選択して、これら複数の走査線ごとに一括して画像データを書き込む方法を用いてもよい。
【０１５４】
さらに、図１６〜図１８には示していないが、反射電極１３に対して、例えば、画素電極３５Ａ，３５Ｂのいずれかの電圧、あるいは対向電極３７と同一の電圧を印加して、各色の粒子２６（Ｂ），２７（Ｒ），２６（Ｂｋ），２７（Ｇ）の移動を制御してもよい。
また、電気泳動表示装置１００の駆動方法は、上記に限らず、他の駆動方法を用いることが可能である。
【０１５５】
次に、他の駆動方法について述べる。
（黒表示の変形例１）
図１９（ａ）は、変形例１における黒表示時の帯電粒子の分布状態を示す図である。
ここでは、各サブ画素４０Ａ，４０Ｂの画素電極３５Ａ，３５Ｂに対して互いに異なる極性の電圧を印加してプリセット動作を行った後、サブ画素４０Ａの画素電極３５Ａ，３５Ｂに対してプリセット動作時とは反極性の電圧をそれぞれ同時に印加して、すべての赤色の正帯電粒子２７（Ｒ）と青色の負帯電粒子２６（Ｂ）とを対向電極３７側へと同時に移動させた。これら正帯電粒子２７（Ｒ）および負帯電粒子２６（Ｂ）は、混合した状態で対向電極３７上に２次元、３次元的に分布し、両粒子がランダムに対向電極３７に接するように存在する。すると、観測者側では、対向電極３７と接する青粒子の反射が少し見えるため、サブ画素４０Ａは青っぽい黒表示となる。
一方、サブ画素４０Ｂの画素電極３５Ａ，３５Ｂに対してはそれぞれマイナス電圧ＶＬを印加することによって、黒表示にする。
このように、サブ画素４０Ａは若干青味がかった黒表示ではあるが、サブ画素４０Ｂが完全な黒表示であるため、画素全体として黒に近い表示を行うことが可能である。
【０１５６】
（黒表示の変形例２）
図１９（ｂ）は、変形例２における黒表示時の帯電粒子の分布状態を示す図である。
上記したプリセット動作を実施した後、青粒子を分散媒２１中に浮遊させる電圧を印加する。
具体的には、画素電極３５Ａに対してプラス電圧ＶＨを印加してすべての赤色の正帯電粒子２７（Ｒ）を対向電極３７側へと移動させた後、画素電極３５Ｂに対して青色の負帯電粒子２６（Ｂ）が対向電極３７側へ到達しない程度の小さな電圧Ｖｌを印加する。このように、青粒子を動かす電圧を小さくすることによって青粒子を分散媒２１中に浮遊させる。この状態でも黒表示は可能である。
つまり、対向基板３１０側から入射した外光のうち赤色光以外の光の一部が正帯電粒子２７（Ｒ）を透過して、赤色粒子の下方で浮遊している青色の負帯電粒子２６（Ｂ）へ到達する。そして、この青粒子において青色光のみが反射されてそれ以外の色の光は吸収される。ここで反射された青色光は再び赤色粒子へ入射して吸収されることになる。これにより、サブ画素４０Ａは黒表示となる。
一方、サブ画素４０Ｂの画素電極３５Ａ，３５Ｂに対してはそれぞれマイナス電圧ＶＬを印加して黒粒子を対向電極３７上に分布させ、サブ画素４０Ｂを黒表示にする。
このように、黒粒子を分散媒２１中に浮遊させた状態であってもサブ画素４０Ａを黒表示にすることができ、結果として、画素全体を黒表示にできる。
【０１５７】
（黒表示の変形例３）
図１９（ｃ）は、変形例３における黒表示時の帯電粒子の分布状態を示す図である。
ここでは、サブ画素４０Ａ内の青粒子を画素電極３５Ｂ上ではなく反射電極１３上に吸着させることによって表示を行った。
プリセット動作後、サブ画素４０Ａの画素電極３５Ａにプラス電圧ＶＨ、対向電極３７にＧＮＤ電圧を印加して、赤色の正帯電粒子２７（Ｒ）を対向電極３７側へ移動させる。また、同時に、画素電極３５Ｂにマイナス電圧ＶＬ、反射電極１３にプラス電圧を印加することによって、青色の負帯電粒子２６（Ｂ）を反射電極１３上に吸着させる。なお、他の電圧印加方法も適用可能である。
これにより、対向基板３１０側から入射した外光はまず赤粒子に入射し、赤粒子を透過した光が反射電極１３上の青粒子に到達する。そして、青粒子において反射された青色光は赤粒子において吸収されるため、結果として黒表示となる。
【０１５８】
（暗い赤表示）
図２０（ａ）は、暗く淡い赤い表示時における粒子の分布状態を示す図である。
暗く赤い表示を行う場合には、プリセット動作後、サブ画素４０Ａの画素電極３５Ａに対してプラス電圧Ｖｈ（０＜Ｖｈ＜ＶＨ）を印加すると同時に画素電極３５Ｂを０Ｖ（Ｖｃｏｍ）にして、画素電極３５Ａ上に吸着した赤色の正帯電粒子２７（Ｒ）の多くを対向電極３７側へと移動させる。このとき、一部の赤粒子が画素電極３５Ａに吸着した状態となるような電圧を印加する。
【０１５９】
その後、所定の時間をおいて、画素電極３５Ｂに対してマイナス電圧Ｖｌ（ＶＬ＜Ｖｌ＜０）を印加して、画素電極３５Ｂ上に吸着していた青色の負帯電粒子２６（Ｂ）の一部を対向電極３７側へと移動させ、先に対向電極３７の表面上に分布させておいた赤色の正帯電粒子２７（Ｒ）の下方に配置させる。ここで、対向電極３７側で分布する各色粒子の割合として赤粒子の方が青粒子よりも多くなる電圧を印加する。
【０１６０】
これにより、対向基板３１０側から見ると、サブ画素４０Ａのうち赤粒子のみが分布する領域での赤表示と、赤粒子および青粒子が重なる一部領域での黒ドット表示さらに粒子が存在しない領域の白表示とにより、結果として暗く淡い赤い表示が表現される。なお、サブ画素４０Ｂが黒表示であることから、画素全体としてはより暗い赤表示となる。
このように、粒子の分布、配置状態の組み合わせを制御することによって、明度、彩度、色相の制御が可能となる。
【０１６１】
（緑表示の変形例）
図２０（ｂ）は、緑表示の変形例における粒子の分布状態を示す図である。
ここでは、反射粒子からなる緑粒子を用いた。
プリセット動作後、サブ画素４０Ａの画素電極３５Ａにプラス電圧ＶＨを印加した後、所定時間をおいて、画素電極３５Ｂにマイナス電圧ＶＬを印加することによって、対向電極３７上に分布する赤粒子の直下に青粒子を分布させ、サブ画素４０Ａを黒表示にする。
一方、サブ画素４０Ｂの画素電極３５Ａ，３５Ｂに対してそれぞれプラス電圧ＶＨを印加することによって、緑粒子のみを対向電極３７側へと移動させる。この状態で、対向基板３１０側からサブ画素４０Ｂに入射した光は対向電極３７上に分布する緑粒子において緑色光以外の光のすべてあるいは一部が吸収されて、緑色光のみが反射する。このため、サブ画素４０Ｂは緑表示となる。
【０１６２】
（赤表示の変形例）
図２０（ｃ）は、赤表示の変形例における粒子の分布状態を示す図である。
ここでは、サブ画素４０Ａ内の赤粒子の量を青粒子よりも増加させ、乱反射を用いて赤を表示する原理を採用した。
プリセット動作後、サブ画素４０Ａの画素電極３５Ａにプラス電圧ＶＨ、画素電極３５Ｂにマイナス電圧ＶＬを印加し、サブ画素４０Ｂの画素電極３５Ａ，３５Ｂにマイナス電圧ＶＬを印加する。これにより、サブ画素４０Ａを赤表示、サブ画素４０Ｂを黒表示にする。サブ画素４０Ａ内では対向電極３７上に多くの赤粒子が積層状態で分布しており、これら多層の赤粒子により乱反射が生じ、結果として、赤色光が外部に出射するように設定してある。これにより、サブ画素４０Ａは赤表示となる。つまり、光が複数の赤粒子を透過することによって指向性のない乱反射となり、かつ対向電極３７近傍でこの現象が起こる為、視野角の広い赤表示となる。
【０１６３】
また、赤粒子の量を増加した構成において黒表示を行う際には、図２１に示すように、サブ画素４０Ａの画素電極３５Ａに対して所定のプラス電圧を印加して、赤粒子の一部を画素電極３５Ａ上に保持させるとともに、その他多くの赤粒子を対向電極３７側へと移動させる。その後、所定の時間をおいて画素電極３５Ｂに対してマイナス電圧ＶＬを印加することによって、先に対向電極３７上に分布させた赤粒子の直下に青粒子を分布させる。
これにより、対向基板３１０側から入射した外光が赤粒子、青粒子、赤粒子の順に到達し、結果として黒表示となる。ここで、黒表示も対向電極３７近傍で黒色を作成しているため視角が広い。もちろん青表示も対向電極３７近傍で光が反射するため視角が広い。
ここで、図２０（ｃ）のサブ画素Ｂを反射性の緑と黒粒子を用いると同様の理由で視角が広くなる。
これらにより視角の広い電気泳動表示装置を実現できる。
【０１６４】
以上述べたように、本実施形態の電気泳動表示装置１００では、サブ画素４０Ａ，４０Ｂにおける各帯電粒子の分布状態を制御することによって、サブ画素４０Ａとサブ画素４０Ｂとで異なる表示を行うことができ、これら異なる表示の組み合わせによって多様な表現を実現することができる。
そして、各サブ画素４０Ａ，４０Ｂにおける画素電極３５Ａ，３５Ｂのそれぞれに対する電圧の印加条件（印加時間、印加タイミング、印加電圧の大きさ等）を制御することにより、各サブ画素４０Ａ，４０Ｂにおいて表現される表示色に加えてさらにそれら表示色の階調表現を実現することができ、明度や彩度の調整も行えるため、フルカラーあるいはこれに近い表現を実現することができる。
【０１６５】
また、各サブ画素４０Ａ，４０Ｂにおいて各画素電極３５Ａ，３５Ｂ上から対向電極３７側へと正負の帯電粒子をそれぞれ移動させる際、反射電極１３に対して移動対象の帯電粒子をはじく電位を入力することによって、反射電極１３上に帯電粒子が移動してきてしまうのを防止でき、その結果、対向電極３７側へと帯電粒子をスムーズに移動させることができる。これにより、表示の切り換えを短時間で安定して行えるようになる。
【０１６６】
また、サブ画素４０Ａにおいて黒表示を得る際には、透過性を有する赤色の正帯電粒子２７（Ｒ）を先に移動させて、反射性を有する青色の負帯電粒子２６（Ｂ）よりも対向電極３７側に配置させることにより、対向基板３１０側から入射した外光を各粒子において吸収させることができて良好なはっきりとした黒表示が実現される。
【０１６７】
また、単数あるいは複数画面の書き換えごとに第１プリセット動作と第２プリセット動作とを交互に実施することによって、画素電極３５Ａ，３５Ｂと対向電極３７との間に、それぞれ直流電圧が印加されることを防止して、電極の腐食や電気泳動材料の劣化を抑制することができ、高信頼性の電気泳動表示装置１００となる。
【０１６８】
（第２実施形態の電気泳動表示装置）
図２２は、第２実施形態の電気泳動表示装置の構成を示す部分断面図である。
図２２に示すように、本実施形態の電気泳動表示装置１０２では、第１基板３０側において、ゲート絶縁膜４１ｂ上に形成された選択トランジスタＴＲ１，ＴＲ２と、画素電極３５Ａ，３５Ｂに接続される接続電極４４Ａ，４４Ｂと、を覆うようにして層間絶縁膜４２Ａが形成されており、さらにこの層間絶縁膜４２Ａ上に厚さ１μｍの層間絶縁膜５３が形成されている。本実施形態における層間絶縁膜５３の表面５３ａは凹凸形状とされており、層間絶縁膜４２Ａとは反対側の電気泳動層３２Ａ，３２Ｂ側へと突出する複数の凸部５３Ａを多数有している。これら複数の凸部５３Ａは少なくとも１つの画素内に存在し、各凸部５３Ａの平面視形状や断面形状、高さ等は不均一とされているとともに、その位置もランダムな配置とされている。
【０１６９】
このような層間絶縁膜５３上には、表面５３ａの形状に倣うようにして所定の厚さの反射電極１３が設けられている。反射電極１３はＡｌなどを用いて形成され、その膜厚は層間絶縁膜５３の厚さに比べて薄く、層間絶縁膜５３の表面５３ａすなわち凸部５３Ａの外形を反映させた形状となっている。これにより、反射電極１３の表面１３ａが散乱面となり、白表示における外光の正反射を軽減することができる。また、光を散乱させることで、より表示色の発色性を向上させることができる。
【０１７０】
なお、反射電極１３上に形成された保護膜４３は平坦化膜として機能している。
【０１７１】
（第３実施形態の電気泳動表示装置）
図２３は、第２実施形態の電気泳動表示装置の構成を示す部分断面図である。
図２３に示すように、本実施形態における電気泳動表示装置１０３は、素子基板３００の表面（電気泳動層側の面）に島状の画素電極が設けられておらず、各サブ画素４０Ａ，４０Ｂにおける選択トランジスタＴＲ１，ＴＲ２のドレイン電極４１ｄにそれぞれ接続された接続電極４４Ａ，４４Ｂの一部が島状の画素電極として機能する点において先の実施形態とは異なっている。
【０１７２】
本実施形態では、接続電極４４Ａ，４４Ｂ上を覆っている層間絶縁膜４２Ａ，４２Ｂおよび保護膜４３に、各接続電極４４Ａ，４４Ｂを部分的に露出させるための平面視円形状を呈する貫通孔４９が複数形成されている。接続電極４４Ａ，４４ＢはＡｌからなり、反射性を有している。このため、それぞれに印加される電圧によって帯電粒子の移動を制御するとともに外光を対向基板３１０側へと反射させる作用も含む。
【０１７３】
反射電極１３上には保護膜４３が形成されている。このため、帯電粒子には、反射電極１３から保護膜４３を介して画素電極よりも低電位が印加されることになる。よって、反射電極１３上、すなわち保護膜４３上に帯電粒子が付着することが防止される。このため、保護膜４３の厚さは、帯電粒子の移動制御に影響を与えることなく、これら帯電粒子の吸着を防止することができる値に設定される。ここで、保護膜４３は、厚さ２μｍ以上、より好ましくは１０μｍ以上である。または、セルギャップの５％以上、より好ましくは５０％以上である。
【０１７４】
なお、反射電極１３は、画像表示部５の略全体にベタ状に形成されており、各画素において共通の構成となっているが、画素ごとに独立して設けてもよい。この場合は、反射電極１３を、貫通孔４９を介して下層の接続電極４４Ａ，４４Ｂと電気的に接続させておく。ここで、各サブ画素内において、複数の反射電極１３ごとに２つのグループに分け、第１グループにおける複数の反射電極１３どうしを接続電極４４Ａを介して互いに接続させ、第２グループにおける複数の反射電極１３どうしを接続電極４４Ｂを介して互いに接続させることにより、各グループの複数の反射電極１３ごとに互いに独立して駆動させることが可能となる。
さらに、反射電極１３が帯電粒子に印加される電圧は常に接続電極４４Ａ，４４Ｂに印加される電圧よりも小さく、同極性のものとなる。このため、反射電極１３の電位が帯電粒子の移動を阻害することがなくなる。
【０１７５】
（第４実施形態の電気泳動表示装置）
図２４は、第４実施形態の電気泳動表示装置の画像表示部における画素構成の一部を拡大して示す概略図である。
先の実施形態では、隔壁の両側に存在するサブ画素４０Ａとサブ画素４０Ｂとによって１つの画素４０をなす構成について述べたが、本実施形態では、画像表示部５に配列された複数のサブ画素４０Ａ，４０Ｂのうち、データ線の配列方向（水平方向）で隣り合うサブ画素４０Ａ，４０Ｂ同士の間に隔壁６４（内壁部６４Ｃ）が設けられている。このように、データ線６８Ａ，６８Ｂ（図１（ｂ））の配列方向で隣り合うサブ画素４０Ａとサブ画素４０Ｂとの間にこれらを仕切る隔壁６４を複数設けた構成としてもよい。
【０１７６】
なお、隔壁の構成は上記したものに限らず、走査線６６の配列方向で隣り合うサブ画素４０Ａ，４０Ｂ同士の間に隔壁６４を配置して、各サブ画素４０Ａ，４０Ｂを仕切っても良い。
【０１７７】
（変形例１）
図２５（ａ）は、暗い赤表示時における粒子の分布状態を示す図、（ｂ）は、マゼンタ表示時における粒子の分布状態を示す図である。
図１０，１１，１２，１３，１４等で示したように、これまでは画素電極３５Ａ，３５Ｂから対向電極３７に移動する粒子はほとんど全てが対向電極３７近傍に位置するとの説明を行なってきた。しかし、実際には一部の粒子が分散媒２１中に位置することもある。これを示した例が図２５（ａ）、（ｂ）である。
図２５（ａ）は図１２（ｂ）の変形例である。青の負帯電粒子２６（Ｂ）の一部が分散媒２１中に位置している。その結果、暗い赤表示が得られる。
図２５（ｂ）は図１３（ｂ）の変形例である。赤と青の帯電粒子２７（Ｒ）、２６（Ｂ）の一部が分散媒２１中に位置している。その結果、マゼンタ表示が得られる。
この状態においても、対向電極３７の視認側から見た粒子の実効的分布の面積により階調や混色を表示できる。
また、図示しないが、図１０（ａ）の白状態においても一部の粒子が分散媒２１中に位置する状態であっても良い。
【０１７８】
（変形例２）
図２６は、電気泳動表示装置の変形例２を示す部分断面図である。
図２６に示すように、ここでは、Ａｌから成る反射フィルム（反射電極）８０が第１基板３０の裏面に設けられている。この反射フィルム８０は、透明接着剤を介して第１基板３０の裏面に貼り合わされている。なお、反射フィルム８０の代わりにＡｌ等の金属を第１基板３０の裏面上に直接形成しても良い。また、本例では、選択トランジスタＴＲ１、ＴＲ２側に反射フィルムを設けないために保護膜４３を用いていない。
このように、素子基板３００の裏面側に反射フィルム８０を設ける構成であれば、反射フィルム８０をベタ状に形成することができるので反射性が高まるとともに製造が容易になる。
【０１７９】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１８０】
以上の説明では、サブ画素４０Ａ内に赤色の正帯電粒子２７（Ｒ）および青色の負帯電粒子２６（Ｂ）が保持されているとともに、サブ画素４０Ｂ内に緑色の正帯電粒子２７（Ｇ）および黒色の負帯電粒子２６（Ｂｋ）が保持された構成となっているが、各サブ画素４０Ａ，４０Ｂ内に保持させる色粒子の組み合わせは上記したものに限らない。例えば、一方のサブ画素内には、ＲＧＢのうちのいずれか２色の粒子を保持させ、他方のサブ画素内にはＲＧＢの残りの１色と黒粒子とを保持させることができる。
サブ画素内に保持させる各粒子の色としては、光漏れを生じさせない波長の色を選定し、各組み合わせにおける色粒子同士の透過または反射強度は互いに重ならないものとする。つまり、補色の関係の２色を用いることが可能である。
また、補色でなくても透過または反射強度が重ならなければどういう組み合わせでも良い。例えばサブ画素Ａの赤、青の代わりに緑っぽい赤、緑っぽい青を、サブ画素Ｂに赤青っぽい緑を用いて明るい表示を実現できる。
さらにサブ画素Ｂにおいて補色の関係のような２粒子を用いる際は、それらが透過性と反射性の組み合わせの構成で、かつ透過性と反射性の波長の関係が第１の実施形態のサブ画素Ａと同等とする。これにより同様の構成、手段を用いて黒表示を行う事ができる。
また、先にも述べたがサブ画素Ｂにおいて黒とその他の色の組み合わせのときはその他の色は透過性、反射性どちらでも構わない。
【０１８１】
また、他方のサブ画素内に保持する２粒子の色の選定も同様の考え方で行う。
例えば、一方のサブ画素内に赤粒子と青粒子とを保持させ、他方のサブ画素内に緑粒子とマゼンタ粒子とを保持させた場合、Ｒ，Ｇ，Ｂ、マゼンタの４色域でのカラー表示が行える。さらに、マゼンタは、赤と青の波長を持っているため、赤色表示と青色表示を行った際に、これら各表示が暗くなるという課題を解決することも可能である。
【０１８２】
また、先の実施形態では、各サブ画素において、それぞれ、透明な分散媒２１中に互いに異なる色に着色された２種類の粒子が保持されてなる電気泳動層をそれぞれ備えた構成となっていたが、一方のサブ画素における電気泳動層を、１種類の着色粒子と、当該着色粒子の色とは異なる色に着色された着色分散媒（第２分散媒）とにより構成してもよい。
【０１８３】
例えば、図２７（ａ）は、緑の分散媒２１中に、黒色の帯電粒子を保持してなる電気泳動材料を用いたものである。粒子が１種類になるのでサブ画素Ｂの選択トランジスタＴＲは１つになる。これが今までのものと異なる。
また、図２７（ｂ）は黒色分散媒２１に緑色の帯電粒子を用いた電気泳動材料ものである。ここでは黒色分散媒２１なので反射電極１３も不要に成る。
これらサブ画素Ｂにおける粒子は透過性、反射性はどちらでも構わない。
このような構成においても、上記実施形態と同様に、各サブ画素において異なる表示を行うことができるので、これらの表示の組み合わせによる多様な表現を実現できる。
【０１８４】
また、１つの画素４０を構成する２つのサブ画素４０Ａ，４０Ｂの面積比を異ならせてもよい。例えば、赤粒子および青粒子が保持されたサブ画素４０Ａの面積を、緑粒子および黒粒子が保持されたサブ画素４０Ｂの面積よりも広く設定することによって、赤表示あるいは青表示を行った際に暗くなることを防止できる。
【０１８５】
また、図２８に示すように、赤色および青色の波長域を広げて明るい粒子とし、赤表示あるいは青表示を行った際に暗くなる課題を解決してもよい。この時に、緑色の波長域を赤色の波長領域および青色の波長領域と重ならない領域だけに設定すると暗くなる。赤、青と一部重なるように設けても良い。５００ｎｍ以下や６００ｎｍ以上の波長域にまで広げることでさらに明るくできる。
このように、各サブ画素４０Ａ，４０Ｂ内に保持させる色粒子の組み合わせや極性は特に限定しない。
帯電粒子を対向電極３７近傍に位置させることで表示を行うが、対向電極３７や画素電極３５Ａ、３５Ｂにおいて粒子位置のメモリー性を持たせることで表示のメモリー性を持たせる事ができる。
【０１８６】
また、上記実施形態においては、画素４０（サブ画素４０Ａ，４０Ｂ）が白表示の状態をプリセット状態としたが、画素４０（サブ画素４０Ａ，４０Ｂ）が黒表示の状態をプリセット状態として用いることも可能である。プリセットとは基準となる状態であるので、それが再現でき、次に表示する状態も再現良く制御することができれば、上記の状態に限らず用いることができる。
【０１８７】
また、サブ画素全体を黒表示にする際、あるいはサブ画素の一部領域を黒表示にする際に、各画素電極３５Ａ，３５Ｂに対して電圧を印加するタイミングに差を設けて赤粒子および青粒子の分布状態を制御するとしたが、各画素電極３５Ａ，３５Ｂに対して電圧を印加する際に印加時間差や電圧差を組み合わせることによって、黒表示となる赤粒子および青粒子の分布状態を実現してもよい。
【０１８８】
さらに、以上の説明に用いた色、極性および駆動方法は一例であって、基本的な考え方に沿うものは同様の発明と考えられる。
【０１８９】
また、画素電極３５Ａ，３５Ｂの平面形状は上記したものに限らず、ストライプ、楕円、多角形等を用いてもよい。２種類の帯電粒子を対向電極３７上に分布させる際、各粒子の分布範囲の少なくとも一部を重ならせることが可能な形状であればよい。
【０１９０】
また、図１（ｂ）に示した等価回路は、１つのトランジスタおよび１つのキャパシタを備えた構造（１Ｔ１Ｃ構造）をベースとしている。これ以外の等価回路を用いることも可能である。例えば、２トランジスタ１キャパシタ回路等であってもよい。
【０１９１】
［電子機器］
次に、上記各実施形態の電気泳動表示装置を電子機器に適用した場合について説明する。
図２９は、本発明の電気泳動表示装置を適用した電子機器の具体例を説明する斜視図である。
図２９（ａ）は、電子機器の一例である電子ブックを示す斜視図である。この電子ブック（電子機器）１０００は、ブック形状のフレーム１００１と、このフレーム１００１に対して回動自在に設けられた（開閉可能な）カバー１００２と、操作部１００３と、本発明の電気泳動表示装置によって構成された表示部１００４と、を備えている。
【０１９２】
図２９（ｂ）は、電子機器の一例である腕時計を示す斜視図である。この腕時計（電子機器）１１００は、本発明の電気泳動表示装置によって構成された表示部１１０１を備えている。
【０１９３】
図２９（ｃ）は、電子機器の一例である電子ペーパーを示す斜視図である。この電子ペーパー（電子機器）１２００は、紙と同様の質感および柔軟性を有するリライタブルシートで構成される本体部１２０１と、本発明の電気泳動表示装置によって構成された表示部１２０２を備えている。
【０１９４】
例えば電子ブックや電子ペーパーなどは、白地の背景上に文字を繰り返し書き込む用途が想定されるため、消去時残像や経時的残像の解消が必要とされる。
なお、本発明の電気泳動表示装置を適用可能な電子機器の範囲はこれに限定されず、帯電粒子の移動に伴う視覚上の色調の変化を利用した装置を広く含むものである。
【０１９５】
以上の電子ブック１０００、腕時計１１００及び電子ペーパー１２００によれば、本発明に係る電気泳動表示装置が採用されているので、明るく視認性の良好なフルカラーに近い表示の行える信頼性に優れた高品位の電子機器となる。
【０１９６】
なお、上記の電子機器は、本発明に係る電子機器を例示するものであって、本発明の技術範囲を限定するものではない。例えば、携帯電話、携帯用オーディオ機器などの電子機器の表示部や、マニュアル等の業務用シート、教科書、問題集、情報シート等にも、本発明に係る電気泳動表示装置は好適に用いることができる。
【符号の説明】
【０１９７】
５…画像表示部、１３，８０…反射電極、２１…分散媒（第１分散媒）、２６，２７…帯電粒子、３０…第１基板、３１…第２基板、３２Ａ，３２Ｂ…電気泳動層、３５Ａ，３５Ｂ…画素電極、３７…対向電極、４０…画素、４０Ａ，４０Ｂ…サブ画素、５４ａ…表面、６４，６７…隔壁、１００，１０２…電気泳動表示装置
【図１】
2012181450.tif 000003
【図２】
2012181450.tif 000004
【図３】
2012181450.tif 000005
【図４】
2012181450.tif 000006
【図５】
2012181450.tif 000007
【図６】
2012181450.tif 000008
【図７】
2012181450.tif 000009
【図８】
2012181450.tif 000010
【図９】
2012181450.tif 000011
【図１０】
2012181450.tif 000012
【図１１】
2012181450.tif 000013
【図１２】
2012181450.tif 000014
【図１３】
2012181450.tif 000015
【図１４】
2012181450.tif 000016
【図１５】
2012181450.tif 000017
【図１７】
2012181450.tif 000018
【図１８】
2012181450.tif 000019
【図１９】
2012181450.tif 000020
【図２０】
2012181450.tif 000021
【図２１】
2012181450.tif 000022
【図２２】
2012181450.tif 000023
【図２３】
2012181450.tif 000024
【図２４】
2012181450.tif 000025
【図２５】
2012181450.tif 000026
【図２６】
2012181450.tif 000027
【図２７】
2012181450.tif 000028
【図２８】
2012181450.tif 000029
【図２９】
2012181450.tif 000030
【図１６】
2012181450.tif 000031